(57)【特許請求の範囲】
【請求項１】
遊技機から出力される出力情報を取得する出力情報取得手段を有する携帯端末と、前記携帯端末からのアクセスに応じて特典を付与するための処理を行なうサーバとを備える遊技用システムであって、
前記携帯端末は、
前記特典のうち特別特典を受けるための特定アクセスを行なうための前記携帯端末の処理手順を示す特定プログラムを記憶するプログラム記憶手段と、
前記出力情報取得手段によって前記出力情報が取得されたことを条件として、前記プログラム記憶手段に記憶された前記特定プログラムに従って、前記サーバに前記特定アクセスを行なう特定アクセス手段とを備え、
前記サーバは、
前記携帯端末からのアクセスを受付けるアクセス受付手段と、
該アクセス受付手段によって受付けられたアクセスが前記特定アクセスであることを条件として、前記特別特典を付与するための特典付与処理を行なう特典付与手段とを備え、
前記携帯端末は、さらに、
前記特定アクセスと異なり前記特定プログラムに従わずに行なわれる通常アクセスを前記サーバに行なう通常アクセス手段を備え、
前記特典付与手段は、前記アクセス受付手段によって前記通常アクセスが受付けられたときは、前記特別特典を付与することなく、前記特別特典と価値の異なる通常特典を付与することを特徴とする、遊技用システム。
【請求項２】
携帯端末において遊技機から出力される出力情報が取得されたことを条件として前記携帯端末の処理手順を示す特定プログラムに従って行なわれる特典のうちの特別特典を受けるための特定アクセスを受付けるアクセス受付手段と、
該アクセス受付手段によって受付けられたアクセスが前記特定アクセスであることを条件として、前記特別特典を付与するための特典付与処理を行なう特典付与手段とを備え、
前記アクセス受付手段は、前記携帯端末において前記特定アクセスと異なり前記特定プログラムに従わずに行なわれる通常アクセスを受付け、
前記特典付与手段は、前記アクセス受付手段によって前記通常アクセスが受付けられたときは、前記特別特典を付与することなく、前記特別特典と価値の異なる通常特典を付与することを特徴とする、遊技用サーバ。
【請求項３】
遊技機から出力される出力情報を取得する携帯端末に記憶され実行される携帯端末用プログラムと、前記携帯端末からのアクセスに応じて特典を付与するための処理を行なうサーバによって実行されるサーバ用プログラムとを含む遊技用プログラムであって、
前記携帯端末用プログラムは、
前記特典のうち特別特典を受けるための特定アクセスを行なうための処理手順を示す特定プログラムを含み、
前記特定プログラムは、
前記出力情報が取得されたことを条件として、前記サーバに前記特定アクセスを行なうステップを前記携帯端末に実行させ、
前記サーバ用プログラムは、
前記携帯端末からのアクセスを受付けるステップと、
受付けられたアクセスが前記特定アクセスであることを条件として、前記特別特典を付与するための特典付与処理を行なうステップとを前記サーバに実行させ、
前記携帯端末用プログラムは、
前記特定アクセスと異なり前記特定プログラムに従わずに行なわれる通常アクセスを前記サーバに行なうステップを含み、
前記サーバ用プログラムは、さらに、
前記通常アクセスが受付けられたときは、前記特別特典を付与することなく、前記特別特典と価値の異なる通常特典を付与するステップを含むことを特徴とする、遊技用プログラム。
【請求項４】
特典を付与するための処理を行なうサーバにアクセス可能な携帯端末に対して出力情報を出力する遊技機であって、
前記アクセスのうち特定アクセスを行なうための前記携帯端末の処理手順を示す前記携帯端末に記憶された特定プログラムに従って前記出力情報を取得した前記携帯端末からの前記特定アクセスが受け付けられたことに基づいて特別特典を付与するサーバであり、かつ、前記特定アクセスと異なり前記特定プログラムに従わずに行なわれる通常アクセスが受け付けられたことに基づいて前記特別特典を付与することなく、前記特別特典と価値の異なる通常特典を付与するサーバにアクセス可能な携帯端末に対して前記出力情報を出力する出力手段を備えたことを特徴とする、遊技機。
【発明の詳細な説明】
【技術分野】
【０００１】
本発明は、遊技用システム、遊技用サーバ、遊技用プログラムおよび遊技機に関する。詳しくは、遊技機から出力される出力情報を取得する出力情報取得手段を有する携帯端末と、前記携帯端末からのアクセスに応じて特典を付与するための処理を行なうサーバとを備える遊技用システム、携帯端末からのアクセスに応じて特典を付与するための処理を行なう遊技用サーバ、遊技機から出力される出力情報を取得する携帯端末に記憶され実行される携帯端末用プログラムと、前記携帯端末からのアクセスに応じて特典を付与するための処理を行なうサーバによって実行されるサーバ用プログラムとを含む遊技用プログラム、および、特典を付与するための処理を行なうサーバにアクセス可能な携帯端末に対して出力情報を出力する遊技機に関する。
【背景技術】
【０００２】
従来から、次に説明するような遊技機、携帯端末およびサーバを含むシステムがあった。つまり、遊技機が、現在時刻情報に基づき、サイトへアクセスするためのＵＲＬ（Uniform Resource Locator）を暗号化したＱＲコード（登録商標）を表示する。携帯端末は、取得したＱＲコードの時刻情報と現在の時刻情報が所定の誤差内であれば、ＵＲＬを復号し、該ＱＲコードの時刻情報を含めてサーバへアクセスする。アクセスのあったサーバは、ＱＲコードの時刻情報と現在の時刻情報が所定の誤差内であれば所定の特典を付与する（たとえば、特許文献１参照）。
【先行技術文献】
【特許文献】
【０００３】
【特許文献１】特開２００６−１５８８４６号公報（第００３７段落、および、第００４０段落から第００４３段落まで）
【発明の概要】
【発明が解決しようとする課題】
【０００４】
しかし、従来のシステムでは、ＱＲコードを正規に取得した遊技者が、すぐにサーバへアクセスせず、前記所定の誤差以上の時間が経過した後にサーバにアクセスした場合には、所定の特典の付与を受けられないといった問題があった。
【０００５】
この発明はかかる事情に鑑み考え出されたものであり、その目的は、特典の付与を受けるための遊技機から出力される出力情報を正規に取得した遊技者が特典の付与を受けられないといった事態を防止しつつ、出力情報の使い回しを効果的に制限することが可能な遊技用システム、遊技用サーバ、遊技用プログラムおよび遊技機を提供することである。
【課題を解決するための手段】
【０００６】
（１）  遊技機（たとえば、パチンコ遊技機７００）から出力される出力情報（たとえば、２次元コード１９１）を取得する出力情報取得手段（たとえば、カメラ部１９０、データ処理部１１０、図１３のステップＳ１２３〜ステップＳ１２５）を有する携帯端末（たとえば、携帯端末１００）と、前記携帯端末からのアクセスに応じて特典（たとえば、買物ポイント，記念品）を付与するための処理を行なうサーバ（たとえば、遊技機メーカサーバ２００）とを備える遊技用システム（たとえば、特典付与システム１０）であって、
前記携帯端末は、
前記特典のうち特別特典を受けるための特定アクセス（たとえば、非公開ＵＲＬへのアクセス）を行なうための前記携帯端末の処理手順を示す特定プログラム（たとえば、特典受取アプリ＋復号アプリ）を記憶するプログラム記憶手段（たとえば、データ処理部１１０、記憶部１２０、図９のステップＳ１０５，ステップＳ１１９）と、
前記出力情報取得手段によって前記出力情報が取得されたこと（たとえば、図１３のステップＳ１２５で２次元コード１９１が記憶されて、ステップＳ１３４でその２次元コード１９１で示される非公開ＵＲＬが正常に復号されたと判断されたこと）を条件として、前記プログラム記憶手段に記憶された前記特定プログラムに従って、前記サーバに前記特定アクセスを行なう特定アクセス手段（たとえば、データ処理部１１０、無線通信部１６０、図１３のステップＳ１３５）とを備え、
前記サーバは、
前記携帯端末からのアクセスを受付けるアクセス受付手段（たとえば、通信部２６０、データ処理部２１０、図１５のステップＳ２２１，ステップＳ２３１）と、
該アクセス受付手段によって受付けられたアクセスが前記特定アクセスであること（たとえば、図１５のステップＳ２３１で非公開ＵＲＬにアクセスが有ったと判断されたこと）を条件として、前記特別特典を付与するための特典付与処理（たとえば、特別特典ページを携帯端末１００に送信する処理）を行なう特典付与手段（たとえば、データ処理部２１０、通信部２６０、図１５のステップＳ２３７）とを備え、
前記携帯端末は、さらに、
前記特定アクセスと異なり前記特定プログラムに従わずに行なわれる通常アクセスを前記サーバに行なう通常アクセス手段を備え、
前記特典付与手段は、前記アクセス受付手段によって前記通常アクセスが受付けられたときは、前記特別特典を付与することなく、前記特別特典と価値の異なる通常特典を付与する。
【０００７】
このような構成によれば、携帯端末によって、遊技機から出力される出力情報が取得され、出力情報が取得されたことを条件として、記憶された特別特典を受けるための特定アクセスを行なうための携帯端末の処理手順を示す特定プログラムに従って、サーバに特定アクセスが行なわれる。また、サーバによって、携帯端末からのアクセスが受付けられ、受付けられたアクセスが特定アクセスであることを条件として、特別特典を付与するための特典付与処理が行なわれる。
【０００８】
このため、出力情報を正規に取得した遊技者が特別特典の付与を受けられないといった事態を防止しつつ、特定プログラムを記憶していない携帯端末を用いた出力情報の使い回しを効果的に制限することが可能な遊技用システムを提供することができる。
【０００９】
（２）  遊技用サーバ（たとえば、遊技機メーカサーバ２００）は、
携帯端末（たとえば、携帯端末１００）において遊技機（たとえば、パチンコ遊技機７００）から出力される出力情報（たとえば、２次元コード１９１）が取得されたこと（たとえば、図１３のステップＳ１２５で２次元コード１９１が記憶されて、ステップＳ１３４でその２次元コード１９１で示される非公開ＵＲＬが正常に復号されたと判断されたこと）を条件として前記携帯端末の処理手順を示す特定プログラム（たとえば、特典受取アプリ＋復号アプリ）に従って行なわれる特典のうちの特別特典を受けるための特定アクセス（たとえば、非公開ＵＲＬへのアクセス）を受付けるアクセス受付手段（たとえば、通信部２６０、データ処理部２１０、図１５のステップＳ２２１、ステップＳ２３１）と、
該アクセス受付手段によって受付けられたアクセスが前記特定アクセスであること（たとえば、図１５のステップＳ２３１で非公開ＵＲＬにアクセスが有ったと判断されたこと）を条件として、前記特別特典を付与するための特典付与処理（たとえば、特別特典ページを携帯端末１００に送信する処理）を行なう特典付与手段（たとえば、データ処理部２１０、通信部２６０、図１５のステップＳ２３７）とを備え、
前記アクセス受付手段は、前記携帯端末において前記特定アクセスと異なり前記特定プログラムに従わずに行なわれる通常アクセスを受付け、
前記特典付与手段は、前記アクセス受付手段によって前記通常アクセスが受付けられたときは、前記特別特典を付与することなく、前記特別特典と価値の異なる通常特典を付与する。
【００１０】
このような構成によれば、遊技用サーバによって、携帯端末において遊技機から出力される出力情報が取得されたことを条件として前記携帯端末の処理手順を示す特定プログラムに従って行なわれる特別特典を受けるための特定アクセスが受付けられ、受付けられたアクセスが特定アクセスであることを条件として、特別特典を付与するための特典付与処理が行なわれる。
【００１１】
このため、出力情報を正規に取得した遊技者が特別特典の付与を受けられないといった事態を防止しつつ、特定プログラムを記憶していない携帯端末を用いた出力情報の使い回しを効果的に制限することが可能な遊技用サーバを提供することができる。
【００１２】
（３）  遊技機（たとえば、パチンコ遊技機７００）から出力される出力情報（たとえば、２次元コード１９１）を取得する携帯端末（たとえば、携帯端末１００）に記憶され実行される携帯端末用プログラム（たとえば、特典受取アプリ＋復号アプリ）と、前記携帯端末からのアクセスに応じて特典（たとえば、買物ポイント，記念品）を付与するための処理を行なうサーバ（たとえば、遊技機メーカサーバ２００）によって実行されるサーバ用プログラム（図１５の特典付与処理）とを含む遊技用プログラムであって、
前記携帯端末用プログラムは、
前記特典のうち特別特典を受けるための特定アクセス（たとえば、非公開ＵＲＬへのアクセス）を行なうための処理手順を示す特定プログラム（たとえば、特典受取アプリ＋復号アプリ）を含み、
前記特定プログラムは、
前記出力情報が取得されたこと（たとえば、図１３のステップＳ１２５で２次元コード１９１が記憶されて、ステップＳ１３４でその２次元コード１９１で示される非公開ＵＲＬが正常に復号されたと判断されたこと）を条件として、前記サーバに前記特定アクセスを行なうステップ（たとえば、データ処理部１１０、無線通信部１６０、図１３のステップＳ１３５）を前記携帯端末に実行させ、
前記サーバ用プログラムは、
前記携帯端末からのアクセスを受付けるステップ（たとえば、通信部２６０、データ処理部２１０、図１５のステップＳ２２１，ステップＳ２３１）と、
受付けられたアクセスが前記特定アクセスであること（たとえば、図１５のステップＳ２３１で非公開ＵＲＬにアクセスが有ったと判断されたこと）を条件として、前記特別特典を付与するための特典付与処理（たとえば、特別特典ページを携帯端末１００に送信する処理）を行なうステップ（たとえば、データ処理部２１０、通信部２６０、図１５のステップＳ２３７）とを前記サーバに実行させ、
前記携帯端末用プログラムは、
前記特定アクセスと異なり前記特定プログラムに従わずに行なわれる通常アクセスを前記サーバに行なうステップを含み、
前記サーバ用プログラムは、さらに、
前記通常アクセスが受付けられたときは、前記特別特典を付与することなく、前記特別特典と価値の異なる通常特典を付与するステップを含む。
【００１３】
このような構成によれば、携帯端末によって、遊技機から出力される出力情報が取得される。また、携帯端末に記憶される特別特典を受けるための特定アクセスを行なうための処理手順を示す携帯端末用プログラムが携帯端末によって実行されることによって、出力情報が取得されたことを条件として、サーバに特定アクセスが行なわれる。また、サーバ用プログラムがサーバによって実行されることによって、携帯端末からのアクセスが受付けられ、受付けられたアクセスが特定アクセスであることを条件として、特別特典を付与するための特典付与処理が行なわれる。
【００１４】
このため、出力情報を正規に取得した遊技者が特別特典の付与を受けられないといった事態を防止しつつ、特定プログラムを記憶していない携帯端末を用いた出力情報の使い回しを効果的に制限することが可能な遊技用プログラムを提供することができる。
【００１５】
（４）  特典を付与するための処理を行なうサーバにアクセス可能な携帯端末に対して出力情報を出力する遊技機であって、
前記アクセスのうち特定アクセスを行なうための前記携帯端末の処理手順を示す前記携帯端末に記憶された特定プログラムに従って前記出力情報を取得した前記携帯端末からの前記特定アクセスが受け付けられたことに基づいて特別特典を付与するサーバであり、かつ、前記特定アクセスと異なり前記特定プログラムに従わずに行なわれる通常アクセスが受け付けられたことに基づいて前記特別特典を付与することなく、前記特別特典と価値の異なる通常特典を付与するサーバにアクセス可能な携帯端末に対して前記出力情報を出力する出力手段を備える。
【００１６】
このような構成によれば、遊技機によって、アクセスのうち特定アクセスを行なうための携帯端末の処理手順を示す携帯端末に記憶された特定プログラムに従って出力情報を取得した携帯端末からの特定アクセスが受け付けられたことに基づいて特別特典を付与するサーバであり、かつ、特定アクセスと異なり特定プログラムに従わずに行なわれる通常アクセスが受け付けられたことに基づいて特別特典を付与することなく、特別特典と価値の異なる通常特典を付与するサーバにアクセス可能な携帯端末に対して出力情報が出力される。
【００１７】
このため、出力情報を正規に取得した遊技者が特別特典の付与を受けられないといった事態を防止しつつ、特定プログラムを記憶していない携帯端末を用いた出力情報の使い回しを効果的に制限することが可能な遊技機を提供することができる。
【図面の簡単な説明】
【００１８】
【図１】本発明に係る特典付与システムの構成の一例を示すシステム構成図である。
【図２】本実施の形態における携帯端末の構成の一例を示すブロック図である。
【図３】本実施の形態における遊技機メーカサーバの構成の一例を示すブロック図である。
【図４】本実施の形態におけるパチンコ遊技機の構成の一例を示すブロック図である。
【図５】本実施の形態における遊技機メーカサーバの記憶部に記憶される会員情報ＤＢを説明するための図である。
【図６】本実施の形態における遊技機メーカサーバの記憶部に記憶される一般特典ＤＢを説明するための図である。
【図７】本実施の形態における遊技機メーカサーバの記憶部に記憶される特別特典ＤＢを説明するための図である。
【図８】本実施の形態における遊技機メーカサーバの記憶部に記憶される付与済特定情報ＤＢを説明するための図である。
【図９】本実施の形態における携帯端末で実行されるウェブブラウザ処理および遊技機メーカサーバで実行されるアプリダウンロード処理それぞれの流れを示すフローチャートである。
【図１０】本実施の形態における携帯端末の表示部に表示される第１の表示画面図である。
【図１１】本実施の形態における携帯端末の表示部に表示される第２の表示画面図である。
【図１２】本実施の形態におけるパチンコ遊技機の演出制御部で実行される２次元コード関連処理の流れを示すフローチャートである。
【図１３】本実施の形態における携帯端末で実行される特典受取アプリの流れを示すフローチャートである。
【図１４】本実施の形態における携帯端末の表示部に表示される第３の表示画面図である。
【図１５】本実施の形態における遊技機メーカサーバで実行される特典付与処理の流れを示すフローチャートである。
【図１６】本実施の形態における携帯端末の表示部に表示される第４の表示画面図である。
【図１７】本実施の形態における遊技機メーカサーバで実行される特典設定処理の流れを示すフローチャートである。
【発明を実施するための形態】
【００１９】
以下に、本発明を実施するための最良の形態を図面に基づいて詳細に説明する。なお、以下の説明では、同一のまたは相当する部品には同一の符号を付しており、それらの名称および機能は同様であるので、それらの詳細な説明は繰返さない。
【００２０】
図１は、本発明に係る特典付与システム１０の構成の一例を示すシステム構成図である。図１を参照して、特典付与システム１０は、携帯端末１００と、遊技機メーカサーバ２００とを含む。
【００２１】
遊技機メーカサーバ２００および携帯端末キャリアサーバ５００は、それぞれ、インターネット９１０に接続される。携帯端末キャリアサーバ５００は、アンテナ５１０を用いて無線で、携帯端末１００と通信することが可能である。これにより、携帯端末１００および遊技機メーカサーバ２００は、通信することが可能である。
【００２２】
遊技場３０には、パチンコ遊技機７００およびスロットマシンなどが設置される。カードユニット６００は、パチンコ遊技機７００およびスロットマシンごとに設けられる。
【００２３】
携帯端末１００は、少なくとも、遊技機メーカサーバ２００にアクセスを行なって通信する前述の機能に加えて、パチンコ遊技機７００の変動表示装置７４５に表示された２次元コード１９１を取得する機能を有する。ここで、「サーバにアクセスする」とは、サーバに通信の要求をすることをいう。
【００２４】
さらに、携帯端末１００は、アプリケーションソフト実行機能、ウェブページ閲覧機能、および、電子メール機能を有する。また、携帯端末１００は、本実施の形態においては用いられない機能であるが、通話機能を有する。
【００２５】
図２は、本実施の形態における携帯端末１００の構成の一例を示すブロック図である。図２を参照して、携帯端末１００は、データ処理部１１０と、記憶部１２０と、データ入力部１３０と、表示部１４０と、音声入出力部１５０と、無線通信部１６０と、アンテナ１６１と、カメラ部１９０とを含む。
【００２６】
記憶部１２０は、ＲＯＭ（Read Only Memory）やフラッシュメモリなどの不揮発性メモリやＲＡＭ（Random Access Memory）などの揮発性メモリなどの半導体メモリで構成される。記憶部１２０は、携帯端末１００の各種機能をデータ処理部１１０に実行させるためのアプリケーションプログラムなどのプログラムやデータを記憶する。
【００２７】
データ入力部１３０は、電話番号や各種データなどの数字やアルファベットやその他の文字などを入力するためのダイヤルキーや十字操作キーやその他のファンクションキーで構成される。データ入力部１３０は、ユーザからデータの入力を受付けて、入力されたデータをデータ処理部１１０に受渡す。
【００２８】
表示部１４０は、液晶表示装置（Liquid Crystal Display、以下「ＬＣＤ」という）で構成される。なお、表示部１４０は、ＥＬ（Electro Luminescence）ディスプレイなど他の表示装置で構成されてもよい。表示部１４０は、データ処理部１１０から受けた文字データおよび画像データを表示する。
【００２９】
音声入出力部１５０は、マイクおよびスピーカで構成される。音声入出力部１５０は、外部からマイクに入力された音声を電気信号に変えて、データ処理部１１０に受渡し、データ処理部１１０からの電気信号を音声に変換して、スピーカで外部に出力する。
【００３０】
無線通信部１６０は、他の携帯端末またはサーバからアンテナ１６１で受信した信号をデータ処理部１１０に受渡し、データ処理部１１０から他の携帯端末またはサーバへ送信する信号をアンテナ１６１から出力させる。
【００３１】
カメラ部１９０は、２次元コード１９１などの被写体を撮像して、撮像された画像を画像データに変換して、変換された画像データをデータ処理部１１０に出力する。
【００３２】
データ処理部１１０は、マイクロプロセッサ（Micro Processing Unit、以下「ＭＰＵ
」という）で構成される。データ処理部１１０は、記憶部１２０に記憶されたアプリケーションプログラムなどのプログラムに従って、記憶部１２０、データ入力部１３０、無線通信部１６０、音声入出力部１５０、または、カメラ部１９０から入力されたデータを処理して、記憶部１２０、表示部１４０、無線通信部１６０、または、音声入出力部１５０に出力する。
【００３３】
なお、本実施の形態においては、携帯端末１００は、音声入出力部１５０を含んでも含まなくてもよい。
【００３４】
図３は、本実施の形態における遊技機メーカサーバ２００の構成の一例を示すブロック図である。図３を参照して、遊技機メーカサーバ２００は、データ処理部２１０と、記憶部２２０と、データ入力部２３０と、表示部２４０と、通信部２６０とを含む。
【００３５】
記憶部２２０は、ＲＯＭやフラッシュメモリなどの不揮発性メモリやＲＡＭなどの揮発性メモリなどの半導体メモリ、および、ハードディスクなどの外部記憶装置で構成される。記憶部２２０には、遊技機メーカサーバ２００の各種機能をデータ処理部２１０に実行させるためのプログラムやデータが記憶される。
【００３６】
データ入力部２３０は、キーボードおよびマウスなどの入力装置で構成される。データ入力部２３０は、遊技機メーカサーバ２００の管理者などのユーザからデータの入力を受付けて、入力されたデータをデータ処理部２１０に受渡す。
【００３７】
表示部２４０は、ＬＣＤで構成される。なお、表示部２４０は、ＣＲＴ（Cathode Ray Tube）ディスプレイやＥＬ（Electro Luminescence）ディスプレイなど他の表示装置で構成されてもよい。表示部２４０は、データ処理部２１０から受けた文字データおよび画像データを表示する。
【００３８】
通信部２６０は、携帯端末１００または他のサーバから、インターネット９１０または他のネットワークを介して受信したデータをデータ処理部２１０に受渡し、データ処理部２１０からインターネット９１０または他のネットワークを介して携帯端末１００または他のサーバに送信するデータを出力する。
【００３９】
データ処理部２１０は、ＭＰＵで構成される。データ処理部２１０は、記憶部２２０に記憶されたプログラムに従って、記憶部２２０、データ入力部２３０、または、通信部２６０から入力されたデータを処理して、記憶部２２０、表示部２４０、または、通信部２６０に出力する。
【００４０】
なお、携帯端末キャリアサーバ５００の構成は、図３で説明した遊技機メーカサーバ２００の構成と同様である。
【００４１】
図４は、本実施の形態におけるパチンコ遊技機７００の構成の一例を示すブロック図である。図４を参照して、パチンコ遊技機７００は、遊技媒体としての遊技球を用いて所定の遊技を行う遊技機である。図１に示したように、パチンコ遊技機７００には、額縁状に形成されたガラス扉枠、ガラス扉枠の下部表面に打球供給皿（上皿）、および、打球供給皿の右下部に遊技球を発射する打球操作ハンドル（操作ノブ）などが設けられる。ガラス扉枠の背面には、遊技盤が着脱可能に取り付けられる。なお、遊技盤は、それを構成する板状体と、その板状体に取り付けられた種々の部品とを含む構造体である。また、遊技盤の前面には遊技盤の表面に立設する打球レールによって囲まれた領域である遊技領域が形成される。
【００４２】
遊技領域の中央付近には、識別情報としての飾り図柄を可変表示（変動表示）する複数の可変表示部を含む変動表示装置７４５が設けられている。変動表示装置７４５には、たとえば「左」、「中」、「右」の３つの可変表示部（図柄表示エリア）がある。
【００４３】
変動表示装置７４５は、遊技の演出を行う演出装置であり、液晶表示装置（ＬＣＤ）によって構成される。たとえば、変動表示装置９の３つの可変表示部に表示される飾り図柄として、「０」〜「９」の数字の図柄を用いている。そして、変動表示装置９の表示領域各々にて飾り図柄を「０」から順に表示することにより飾り図柄の可変表示を実行する。
【００４４】
遊技球が遊技領域に発射され、遊技領域を流下して、始動入賞口に入賞すると、各種スイッチ７３０の１つである始動口スイッチが、入賞した遊技球を検出し、検出信号を遊技制御部７１０に出力する。遊技制御部７１０は、始動口スイッチからの検出信号を受けたことを条件として、乱数を用いて大当り遊技状態を発生させるか否かを決定し、その決定結果に基づいた演出制御コマンドを演出制御部７４０に出力する。
【００４５】
演出制御部７４０は、遊技制御部７１０から受けた演出制御コマンドに従って、特別図柄を可変表示するように制御するとともに、飾り図柄を可変表示するよう変動表示装置７４５を制御する。そして、遊技制御部７１０によって大当り遊技状態を発生させることが事前に決定されている旨の演出制御コマンドを受けた場合、演出制御部７４０は、特別図柄の大当り図柄（特定表示結果）を停止表示させるように制御するとともに、飾り図柄の大当り図柄を停止表示させるよう変動表示装置７４５を制御する。
【００４６】
そして、大当り図柄が停止表示されると、遊技制御部７１０は、大当り遊技状態（特定遊技状態）に移行させる。大当り遊技状態において、遊技制御部７１０は、大入賞口および開閉板によって構成される特別可変入賞装置を、各種アクチュエータ７５０の１つであるソレノイドを動作させて開閉板を開状態にすることで遊技球が入賞可能な開放状態にするように制御し、所定回数、特別可変入賞装置を開放状態と遊技球が入賞不可能な閉塞状態とに変化させることでラウンド継続させる。
【００４７】
始動入賞口および大入賞口などの入賞口への遊技球の入賞に応じて、それぞれ、始動口スイッチおよびカウントスイッチなどの各種スイッチ７３０によって出力された検出信号を受けると、遊技制御部７１０は、入賞口に応じた設定した賞球個数を示す払出制御コマンドを払出制御部７６０に出力する。
【００４８】
遊技制御部７１０から払出制御コマンドを受けると、払出制御部７６０は、当該払出制御コマンドに応じて球払出装置７６５を駆動して賞球を打球供給皿に払出す。
【００４９】
カードユニット６００は、パチンコ遊技機７００に対応して設けられる。カードユニット６００は、遊技者からプリペイドカードを受付けて、パチンコ遊技機７００に設けられた球貸ボタンの操作に応じて、プリペイドカードに記録されたプリペイドデータで示される価値のうちから所定額相当（たとえば、５００円相当）の価値を減算して、減算した価値に見合った遊技球を払出すことを指示する球貸操作信号をパチンコ遊技機７００に送信する。
【００５０】
カードユニット６００から球貸操作信号を受けると、払出制御部７６０は、当該球貸操作信号に応じて球払出装置７６５を駆動して貸球を打球供給皿に払出す。
【００５１】
カードユニット６００は、遊技者から現金を受付けると、プリペイドカードに受付けた現金で示される価値を追加記録する。カードユニット６００は、パチンコ遊技機７００に設けられた返却ボタンの操作に応じて、プリペイドカードを排出する。
【００５２】
図５は、本実施の形態における遊技機メーカサーバ２００の記憶部２２０に記憶される会員情報ＤＢ（Database）を説明するための図である。本実施の形態においては、遊技者は、特別特典を受取るための特典受取アプリおよび復号アプリをダウンロードするために、会員登録する必要がある。特別特典とは、遊技機メーカサーバ２００の非公開ＵＲＬへのアクセスで付与される特典であり、図６で後述する一般特典とは異なり、たとえば、特別な待受け画像、着信音楽、買物ポイントおよび記念品などである。たとえば、遊技者は、買物ポイント１０ｐｔを使用して携帯端末のストラップと交換できたり、また、買物ポイント１００ｐｔを使用してプレミアム動画を受取ったりできる。
【００５３】
ここで、特典受取アプリは、特別特典を受取るための遊技機メーカサーバ２００の非公開ＵＲＬへのアクセスを行なうための携帯端末１００の処理手順を示すアプリケーションプログラムである。また、復号アプリは、機種ごとに暗号化された非公開ＵＲＬを復号するための携帯端末１００の処理手順を示すアプリケーションプログラムである。なお、復号アプリには、復号アプリ自体に加えて、機種ごとの非公開ＵＲＬを暗号化した暗号化キーに対応する復号キーが含まれる。
【００５４】
図５を参照して、会員情報ＤＢには、遊技者の会員ＩＤに対応付けて、遊技者の氏名、性別、生年月日、特典付与機種数、特典付与機種ＩＤ、および、メールアドレスが記憶される。後述する遊技機の新機種が発表されたときにその新機種の復号アプリがダウンロード可能となった旨を会員の携帯端末に送信するために、このメールアドレスが利用される。
【００５５】
特典付与機種数は、その遊技者に付与された特別特典に対応する機種の数である。特典付与機種ＩＤは、その遊技者に付与された特別特典に対応する機種の機種ＩＤである。
【００５６】
たとえば、会員ＩＤが「０００１」の遊技者については、氏名が「佐藤太郎」、性別が「男」、生年月日が「１９７０年１１月２２日」、特典付与機種数が「３」機種、特典付与機種ＩＤが「Ａ，Ｂ，Ｃ」、メールアドレスが「sato@abc」であることが会員情報ＤＢによって示されている。
【００５７】
また、会員ＩＤが「０００２」の遊技者については、氏名が「鈴木花子」、性別が「女」、生年月日が「１９７１年８月４日」、特典付与機種数が「２」機種、特典付与機種ＩＤが「Ｂ，Ｃ」、メールアドレスが「suzuki@def」であることが会員情報ＤＢによって示されている。
【００５８】
図６は、本実施の形態における遊技機メーカサーバ２００の記憶部２２０に記憶される一般特典ＤＢを説明するための図である。一般特典とは、遊技機メーカサーバ２００の公開ＵＲＬへのアクセスで付与される特典であり、前述した特別特典と異なり、たとえば、携帯端末１００の待受け画像または着信メロディなどである。一般特典は、公開ＵＲＬごとにそれぞれ用意される。
【００５９】
なお、特別特典は、会員登録をして特典受取アプリおよび復号アプリをダウンロードしないと取得することができないので、一般特典と比較して、遊技者が取得する手間が掛かる。このため、取得したいといったインセンティブを遊技者に与えるために、特別特典は、一般特典に対して、遊技者が取得したいと思うような価値の高い特典とする必要がある。
【００６０】
たとえば、一般特典の待受け画像が、単独のキャラクタで構成される画像であれば、特別特典の特別な待受け画像は、複数のキャラクタで構成される画像とする。また、一般特典の着信メロディが、１曲の音楽の一部を単音のメロディとして普通の音質でデジタルデータ化したものであれば、特別特典の着信音楽は、１曲すべてを複音で高音質にデジタルデータ化した音楽とする。
【００６１】
また、待受け画像、着信メロディおよび着信音楽などの著作物のコンテンツなどの無体物と異なり、有体物を購入することに用いることができる買物ポイント、および、有体物である記念品などが、特別特典には含まれるが、一般特典には含まれない。
【００６２】
図６を参照して、一般特典ＤＢには、各公開ＵＲＬに対して一意に割振られる特典Ｎｏ．に対応させて、公開ＵＲＬ、および、その公開ＵＲＬにアクセスすることで取得できる特典の内容が記憶される。ここで、「ＵＲＬにアクセスする」とは、ＵＲＬで示される処理の要求をすることである。
【００６３】
たとえば、特典Ｎｏ．１１０に対応付けて、公開ＵＲＬ「http://sankyo-fever.co.jp/mobile/kokai1」、および、特典「待受け画像ａ」が記憶される。同様に、特典Ｎｏ．１
２０および特典Ｎｏ．１９０に対応付けて、それぞれ、公開ＵＲＬ「http://sankyo-fever.co.jp/mobile/kokai2」および「http://sankyo-fever.co.jp/mobile/kokai9」、ならびに、特典「待受け画像ｂ」および「着信メロディ」が記憶される。
【００６４】
図７は、本実施の形態における遊技機メーカサーバ２００の記憶部２２０に記憶される特別特典ＤＢを説明するための図である。図７を参照して、特別特典ＤＢには、各非公開ＵＲＬ、大当り回数および特典付与機種数の組合せに対して一意に割振られる特典Ｎｏ．に対応させて、非公開ＵＲＬ、ならびに、大当り回数、ならびに、特典付与機種数、ならびに、その非公開ＵＲＬ、大当り回数、および、特典付与機種数の組合せでアクセスすることで取得できる特典の内容、ならびに、制限情報、ならびに、対応一般特典Ｎｏ．が記憶される。
【００６５】
ここで、大当り回数とは、パチンコ遊技機７００に備えられる遊技終了ボタンが操作されてから、次に遊技終了ボタンが操作されるまでに、大当り遊技状態となった回数である。制限情報とは、特別特典の付与を制限、たとえば、特別特典の付与回数を１回に制限する制限対象とするか否かを示す情報である。対応一般特典Ｎｏ．とは、当該特別特典に対応する非公開ＵＲＬを含む２次元コードに含まれる公開ＵＲＬに対応する一般特典の番号である。
【００６６】
たとえば、特典Ｎｏ．「１１１」に対応付けて、非公開ＵＲＬ「http://sankyo-fever.co.jp/mobile/hikokai11」、大当り回数「０〜４」回、特典付与機種数「−」、特典「ａｂ合体待受け画像」、制限情報「制限なし」、対応一般特典Ｎｏ．「１１０」が記憶される。
【００６７】
同様に、特典Ｎｏ．「１１２」,「１１４」，「１１５」のそれぞれに対応付けて、非
公開ＵＲＬ「http://sankyo-fever.co.jp/mobile/hikokai11」，「http://sankyo-fever.co.jp/mobile/hikokai12」，「http://sankyo-fever.co.jp/mobile/hikokai12」、大当り回数「５〜９」回，「−」，「−」、特典付与機種数「−」，「５，１０以外」，「５」、特典「ａｂ合体待受け画像＋買物ポイント１０ｐｔ」，「ａｂ合体待受け画像」，「ａｂ合体待受け画像＋記念品α」、制限情報「制限あり」，「制限なし」，「制限あり」、対応一般特典Ｎｏ．「１１２」，「１１４」，「１１５」が記憶される。
【００６８】
このように、特別特典の内容に応じて、特別特典の付与を制限することによって、繰返し付与すると不都合が発生するような特別特典の繰返しの特典付与を防止することができる。たとえば、買物ポイントおよび記念品のような、付与回数が増えるとコストが増大する特別特典については、付与回数を制限することによって、コストの増大を防止することができるとともに、待受け画像および着信音楽のような、付与回数が増えてもコストが増大しない特別特典については、付与回数を制限せずに、遊技者の利便性を向上させることができる。
【００６９】
図８は、本実施の形態における遊技機メーカサーバ２００の記憶部２２０に記憶される付与済特定情報ＤＢを説明するための図である。図８を参照して、付与済特定情報ＤＢには、非公開ＵＲＬに対応付けて、当該非公開ＵＲＬに行なわれたアクセスに伴って送信される情報に含まれる遊技機ＩＤおよび取得日時が記憶される。
【００７０】
たとえば、非公開ＵＲＬ「http://sankyo-fever.co.jp/mobile/hikokai11」に対応付けて、遊技機ＩＤおよび取得日時の組合せ「１１１１１１１」および「１００２１０３０」、ならびに、「１２３４５６７」および「１００９１５２０」が記憶される。
【００７１】
図９は、本実施の形態における携帯端末１００で実行されるウェブブラウザ処理および遊技機メーカサーバ２００で実行されるアプリダウンロード処理それぞれの流れを示すフローチャートである。図９を参照して、まず、携帯端末１００において、ステップＳ１０１で、携帯端末１００のデータ処理部１１０は、会員登録ページのＵＲＬの指定が受付けられたかを判断する。ＵＲＬの指定は、他のウェブページまたは電子メールなどに添付されたリンクが選択されることによってなされたり、携帯端末１００に直接ＵＲＬが入力されることによってなされたりする。
【００７２】
会員登録ページのＵＲＬの指定が受付けられていないと判断した場合（ステップＳ１０１でＮＯと判断した場合）、データ処理部１１０は、実行する処理をステップＳ１０５以降の処理に進める。
【００７３】
一方、会員登録ページのＵＲＬの指定が受付けられたと判断した場合（ステップＳ１０１でＹＥＳと判断した場合）、ステップＳ１０２で、データ処理部１１０は、指定されたＵＲＬで示される遊技機メーカサーバ２００の会員登録ページにアクセスをするよう無線通信部１６０を制御する。ここで、「ウェブページにアクセスする」とは、ウェブページの送信の要求をすることをいう。
【００７４】
遊技機メーカサーバ２００においては、ステップＳ２０１で、遊技機メーカサーバ２００のデータ処理部２１０は、会員登録ページにアクセスが有ったかを判断する。
【００７５】
会員登録ページへのアクセスが無いと判断した場合（ステップＳ２０１でＮＯと判断した場合）、データ処理部２１０は、実行する処理をステップＳ２０５以降の処理に進める。
【００７６】
一方、会員登録ページへのアクセスが有ったと判断した場合（ステップＳ２０１でＹＥＳと判断した場合）、ステップＳ２０２で、データ処理部２１０は、アクセスしてきた携帯端末１００に、会員登録ページを送信するよう通信部２６０を制御する。
【００７７】
ここで、「ページを送信する」とは、ＨＴＭＬ（HyperText Markup Language）などの
マークアップ言語で記述されたウェブページを表示するためのハイパーテキストデータを送信することである。
【００７８】
携帯端末１００においては、ステップＳ１０３で、データ処理部１１０は、遊技機メーカサーバ２００から会員登録ページを受信するよう無線通信部１６０を制御し、受信した会員登録ページを表示するよう表示部１４０を制御する。
【００７９】
図１０は、本実施の形態における携帯端末１００の表示部１４０に表示される第１の表示画面図である。図１０（Ａ）を参照して、図９のステップＳ１０３で携帯端末１００の表示部１４０に表示される会員登録ページには、最上段に、このウェブページの名称である「会員登録ページ」、以下の段に、氏名入力欄、性別選択欄、生年月日入力欄、および、入力された内容を遊技機メーカサーバ２００に送信するために操作される「登録」ボタンが表示される。
【００８０】
遊技者は、携帯端末１００のデータ入力部１３０を用いて、この会員登録ページに、必要事項を入力する。ここでは、氏名として「佐藤太郎」、性別として「男」、生年月日として「１９７０／１１／１１」が入力されている。
【００８１】
図９に戻って、携帯端末１００において、遊技者によって必要事項が入力され、「登録」ボタンが操作されると、ステップＳ１０４で、データ処理部１１０は、会員登録ページに会員登録のために入力された必要事項の情報を、遊技機メーカサーバ２００に送信するよう無線通信部１６０を制御する。
【００８２】
遊技機メーカサーバ２００においては、ステップＳ２０３で、データ処理部２１０は、携帯端末１００から、会員登録の入力情報を受信するよう通信部２６０を制御する。
【００８３】
そして、ステップＳ２０４で、データ処理部２１０は、新たに会員ＩＤを発行し、発行した会員ＩＤ、ならびに、受信した会員登録の入力情報に基づく氏名、性別および生年月日を、図５で説明した記憶部２２０の会員情報ＤＢに登録する。
【００８４】
次に、ステップＳ２０５で、データ処理部２１０は、記憶部２２０に記憶された特典受取アプリを読出して、携帯端末１００に送信するよう通信部２６０を制御する。
【００８５】
携帯端末１００においては、ステップＳ１０５で、データ処理部１１０は、遊技機メーカサーバ２００から特典受取アプリを受信するよう無線通信部１６０を制御し、受信した特典受取アプリを記憶部１２０に記憶させる。
【００８６】
図１０に進んで、図１０（Ｂ）で示される特典受取アプリダウンロードページは、特典受取アプリの受信前に携帯端末１００の表示部１４０に表示される。図１０（Ｂ）を参照して、特典受取アプリダウンロードページには、最上段に、このウェブページの名称である「特典受取アプリダウンロードページ」、以下の段に、特典を受取るためには特典受取アプリが必要である旨の文章、ダウンロードを開始するために「開始」ボタンの操作を促すための文章、および、特典受取アプリのダウンロードを開始させるための「開始」ボタンが表示される。
【００８７】
「開始」ボタンが遊技者によって操作されると、携帯端末１００において、特典受取アプリの受信が開始される。そして、特典受取アプリの受信後に、図１０（Ｃ）で示される特典受取アプリダウンロードページが、携帯端末１００の表示部１４０に表示される。
【００８８】
図１０（Ｃ）を参照して、特典受取アプリダウンロードページには、最上段に、このウェブページの名称である「特典受取アプリダウンロードページ」、以下の段に、特典受取アプリのダウンロードが完了した旨、特典受取アプリを起動して遊技機に表示される２次元コード１９１を読取ると特典を受取ることができる旨、および、特典受取アプリのダウンロードのための処理を終了させるための「ＯＫ」ボタンが表示される。
【００８９】
図９に戻って、携帯端末１００において、ステップ１１１で、遊技機機種選択ページのＵＲＬの指定が受付けられたかを判断する。遊技機機種選択ページのＵＲＬの指定が受付けられていないと判断した場合（ステップＳ１１１でＮＯと判断した場合）、データ処理部１１０は、実行する処理をステップＳ１１３以降の処理に進める。
【００９０】
一方、遊技機機種選択ページのＵＲＬの指定が受付けられたと判断した場合（ステップＳ１１１でＹＥＳと判断した場合）、ステップＳ１１２で、データ処理部１１０は、指定されたＵＲＬで示される遊技機メーカサーバ２００の遊技機機種選択ページにアクセスするよう無線通信部１６０を制御する。
【００９１】
遊技機メーカサーバ２００においては、ステップＳ２１１で、データ処理部２１０は、遊技機機種選択ページにアクセスが有ったかを判断する。遊技機機種選択ページにアクセスが無いと判断した場合（ステップＳ２１１でＮＯと判断した場合）、データ処理部２１０は、実行する処理をステップＳ２１２以降の処理に進める。
【００９２】
一方、遊技機機種選択ページへのアクセスが有ったと判断した場合（ステップＳ２１１でＹＥＳと判断した場合）、ステップＳ２１２で、データ処理部２１０は、アクセスしてきた携帯端末１００に、遊技機機種選択ページを送信するよう通信部２６０を制御する。
【００９３】
携帯端末１００においては、ステップＳ１１３で、データ処理部１１０は、遊技機メーカサーバ２００から遊技機機種選択ページを受信するよう無線通信部１６０を制御し、受信した遊技機機種選択ページを表示するよう表示部１４０を制御する。
【００９４】
図１１は、本実施の形態における携帯端末１００の表示部１４０に表示される第２の表示画面図である。図１１（Ａ）を参照して、図９のステップＳ１１３で携帯端末１００の表示部１４０に表示される遊技機機種選択ページには、最上段に、このウェブページの名称である「遊技機機種選択ページ」、以下の段に、遊技機の情報を取得したい機種の選択を遊技者に促す旨の文章、「機種Ａ」を選択するためのボタン、「機種Ｂ」を選択するためのボタン、および、「機種Ｃ」を選択するためのボタンが表示される。
【００９５】
図９に戻って、携帯端末１００において、ステップＳ１１１で、データ処理部１１０は、遊技者の所望の機種の遊技機機種情報ページのＵＲＬが指定されたか否かを判断する。遊技機機種情報ページのＵＲＬが指定されていないと判断した場合（ステップＳ１１１でＮＯと判断した場合）、データ処理部１１０は、実行する処理をステップＳ１１６以降の処理に進める。
【００９６】
一方、図１１（Ａ）の遊技機機種選択ページで、遊技者によって所望の機種のボタンが操作されて、当該機種の遊技機機種情報ページのＵＲＬの指定が受付けられたと判断した場合（ステップＳ１１１でＹＥＳと判断した場合）、ステップＳ１１２で、データ処理部１１０は、指定されたＵＲＬで示される遊技機メーカサーバ２００の当該機種の遊技機機種情報ページにアクセスをするよう無線通信部１６０を制御する。
【００９７】
遊技機メーカサーバ２００においては、ステップＳ２１１で、データ処理部２１０は、いずれかの機種の遊技機機種情報ページにアクセスが有ったかを判断する。
【００９８】
いずれの機種の遊技機機種情報ページへのアクセスも無いと判断した場合（ステップＳ２１１でＮＯと判断した場合）、データ処理部２１０は、実行する処理をステップＳ２１２以降の処理に進める。
【００９９】
一方、いずれかの機種の遊技機機種情報ページへのアクセスが有ったと判断した場合（ステップＳ２１１でＹＥＳと判断した場合）、ステップＳ２１２で、データ処理部２１０は、アクセスしてきた携帯端末１００に、当該機種の遊技機機種情報ページを送信するよう通信部２６０を制御する。
【０１００】
携帯端末１００においては、ステップＳ１１３で、データ処理部１１０は、遊技機メーカサーバ２００から遊技機機種情報ページを受信するよう無線通信部１６０を制御し、受信した遊技機機種情報ページを表示するよう表示部１４０を制御する。
【０１０１】
図１１に進んで、図１１（Ｂ）を参照して、図９のステップＳ１１６で携帯端末１００の表示部１４０に表示される遊技機機種情報ページには、最上段に、このウェブページの名称である「遊技機機種情報ページ」、以下の段に、当該ページの機種の名称，特徴，大当り確率などの機種に関する情報、当該機種に対応する復号アプリのダウンロードを確認する旨の文章、および、当該機種の復号アプリのダウンロードを開始するための「はい」ボタンが表示される。
【０１０２】
図９に戻って、携帯端末１００において、ステップ１１７で、遊技者の所望機種の復号アプリＤＬ（download）ページのＵＲＬの指定が受付けられたかを判断する。復号アプリＤＬページのＵＲＬの指定が受付けられていないと判断した場合（ステップＳ１１７でＮＯと判断した場合）、データ処理部１１０は、実行する処理をステップＳ１１９以降の処理に進める。
【０１０３】
一方、図１１（Ｂ）の遊技機機種情報ページで、遊技者によって「はい」ボタンが操作されて、復号アプリＤＬページのＵＲＬの指定が受付けられたと判断した場合（ステップＳ１１７でＹＥＳと判断した場合）、ステップＳ１１８で、データ処理部１１０は、指定されたＵＲＬで示される遊技機メーカサーバ２００の復号アプリＤＬページにアクセスするよう無線通信部１６０を制御する。
【０１０４】
遊技機メーカサーバ２００においては、ステップＳ２１５で、データ処理部２１０は、いずれかの機種の復号アプリＤＬページにアクセスが有ったかを判断する。
【０１０５】
いずれの機種の復号アプリＤＬページへのアクセスも無いと判断した場合（ステップＳ２１５でＮＯと判断した場合）、データ処理部２１０は、実行する処理をステップＳ２１６以降の処理に進める。
【０１０６】
一方、いずれかの機種の復号アプリＤＬページへのアクセスが有ったと判断した場合（ステップＳ２１５でＹＥＳと判断した場合）、ステップＳ２１６で、データ処理部２１０は、アクセスしてきた携帯端末１００に、当該機種に対応する復号アプリを送信するよう通信部２６０を制御する。
【０１０７】
ここで、すでに他の機種の復号アプリが携帯端末１００に送信済である場合は、当該機種に対応する差分で復号アプリを更新するための情報を送信する。前述したように、本実施の形態においては、復号アプリには、復号アプリ自体に加えて、機種ごとの非公開ＵＲＬを暗号化した暗号化キーに対応する復号キーが含まれるので、ここでの差分は、当該機種に対応する復号キーを復号アプリに加えるための情報である。
【０１０８】
携帯端末１００においては、ステップＳ１１９で、データ処理部１１０は、遊技機メーカサーバ２００から復号アプリを受信するよう無線通信部１６０を制御し、受信した復号アプリを記憶部１２０に記憶させる。
【０１０９】
図１１に進んで、復号アプリの受信後に、図１１（Ｃ）で示されるウェブページが、携帯端末１００の表示部１４０に表示される。図１１（Ｃ）を参照して、このウェブページには、所望の機種に対応する復号アプリのＤＬが完了した旨の文章、特典受取アプリを起動して、当該機種に表示される２次元コード１９１を読取ると、ダウンロードした復号アプリで非公開ＵＲＬが復号されて特別特典が受取れる旨の文章、および、復号アプリのダウンロードのための処理を終了させるための「ＯＫ」ボタンが表示される。
【０１１０】
図１２は、本実施の形態におけるパチンコ遊技機７００の演出制御部７４０で実行される２次元コード関連処理の流れを示すフローチャートである。この２次元コード関連処理は、演出制御部７４０によって行なわれるパチンコ遊技機７００における変動表示装置７４５およびスピーカなどでの演出を制御するための処理のサブルーチンとして実行される処理である。
【０１１１】
図１２を参照して、パチンコ遊技機７００において、ステップＳ７０１で、演出制御部７４０は、遊技制御部７１０からのコマンドに基づいて、大当り遊技状態が終了したか否かを判断する。大当り遊技状態が終了していないと判断した場合（ステップＳ７０１でＮＯと判断した場合）、演出制御部７４０は、実行する処理をステップＳ７０３の処理に進める。
【０１１２】
一方、大当り遊技状態が終了したと判断した場合（ステップＳ７０１でＹＥＳと判断した場合）、ステップＳ７０２で、演出制御部７４０は、大当り回数を１回加算更新する。
【０１１３】
次に、ステップＳ７０３で、演出制御部７４０は、図１のパチンコ遊技機７００の変動表示装置７４５で示すように、大当り回数を含まない２次元コード１９１を、所定時間（たとえば、１分間）、表示するよう変動表示装置７４５を制御する。
【０１１４】
この２次元コード１９１は、パチンコ遊技機７００の機種に対応して生成され演出制御部７４０のＲＯＭに予め記憶される。また、この２次元コード１９１は、公開ＵＲＬ、暗号化非公開ＵＲＬ、当該機種の機種ＩＤ、および、当該パチンコ遊技機７００に対して一意に割振られる遊技機ＩＤを含む情報がコード化された画像である。
【０１１５】
次に、ステップＳ７０４で、遊技制御部７１０からのコマンドに基づいて、大当り遊技状態が３回連続で発生する３連チャンが終了したか否かを判断する。３連チャンが終了していないと判断した場合（ステップＳ７０４でＮＯと判断した場合）、演出制御部７４０は、実行する処理をステップＳ７０６の処理に進める。
【０１１６】
一方、３連チャンが終了したと判断した場合（ステップＳ７０４でＹＥＳと判断した場合）、ステップＳ７０５で、演出制御部７４０は、ステップＳ７０３と同様に、大当り回数を含まない２次元コード１９１を、所定時間（たとえば、１分間）、表示するよう変動表示装置７４５を制御する。
【０１１７】
次に、ステップＳ７０６で、演出制御部７４０は、遊技者によって遊技終了ボタンが操作されることによって遊技終了操作が行なわれたか否かを判断する。遊技終了ボタンが操作されていないと判断した場合（ステップＳ７０６でＮＯと判断した場合）、演出制御部７４０は、実行する処理をこの２次元コード関連処理の呼出元の処理に戻す。
【０１１８】
一方、遊技終了ボタンが操作されたと判断した場合（ステップＳ７０６でＹＥＳと判断した場合）、ステップＳ７０７で、演出制御部７４０は、図１のパチンコ遊技機７００の変動表示装置７４５で示すように、大当り回数に応じた２次元コード１９１を、所定時間（たとえば、１分間）、表示するよう変動表示装置７４５を制御する。
【０１１９】
この２次元コード１９１は、パチンコ遊技機７００の機種に対応して大当り回数ごとに生成され演出制御部７４０のＲＯＭに予め記憶される。また、この２次元コード１９１は、公開ＵＲＬ、暗号化非公開ＵＲＬ、当該機種の機種ＩＤ、および、当該パチンコ遊技機７００に対して一意に割振られる遊技機ＩＤを含む情報がコード化された画像である。
【０１２０】
次に、ステップＳ７０８で、演出制御部７４０は、大当り回数を０回にリセットする。その後、演出制御部７４０は、実行する処理をこの２次元コード関連処理の呼出元の処理に戻す。
【０１２１】
図１３は、本実施の形態における携帯端末１００で実行される特典受取アプリの流れを示すフローチャートである。図１３を参照して、携帯端末１００において、特典受取アプリが起動されると、まず、ステップＳ１２１で、データ処理部１１０は、メニュー画面を表示するよう表示部１４０を制御する。
【０１２２】
図１４は、本実施の形態における携帯端末１００の表示部１４０に表示される第３の表示画面図である。図１４（Ａ）を参照して、図１３のステップＳ１２１で携帯端末１００の表示部１４０に表示されるメニュー画面には、最上段に、このアプリケーションプログラムの名称である「特典受取アプリ」、以下の段に、メニューとして、２次元コードの読取りを開始するための「１．２次元コード読取」リンク、特典の受取りを開始するための「２．特典受取」リンク、特典受取アプリを終了させるための「３．終了」リンク、および、いずれかのリンクの選択を促す旨の文章が表示される。
【０１２３】
図１３に戻って、携帯端末１００において、ステップＳ１２２で、データ処理部１１０は、図１４（Ａ）のメニュー画面で、遊技者によって「２次元コード読取」リンクが操作されることによって、２次元コードの読取りを開始することが選択されたか否かを判断する。２次元コード読取が選択されていないと判断した場合（ステップＳ１２２でＮＯと判断した場合）、データ処理部１１０は、実行する処理をステップＳ１３１の処理に進める。
【０１２４】
一方、２次元コード読取が選択されたと判断した場合（ステップＳ１２２でＹＥＳと判断した場合）、ステップＳ１２３で、データ処理部１１０は、カメラ機能を起動させて、カメラ部１９０で撮影されている画像を表示するよう表示部１４０を制御する。
【０１２５】
図１４に進んで、図１４（Ｂ）を参照して、特典受取アプリの２次元コード読取中の画面には、最上段に、このアプリケーションプログラムの名称である「特典受取アプリ」、以下の段に、２次元コード読取中である旨の文章、および、カメラ部１９０で撮影されている画像が表示される。
【０１２６】
図１３に戻って、ステップＳ１２４で、データ処理部１１０は、遊技者によって携帯端末１００が動かされて、撮影されている画像に２次元コードが含まれるようになったか否かを判断する。撮影画像に２次元コードが含まれないと判断した場合（ステップＳ１２４でＮＯと判断した場合）、データ処理部１１０は、ステップＳ１２４の処理を繰返す。
【０１２７】
一方、撮影画像に２次元コードが含まれるようになったと判断した場合（ステップＳ１２４でＹＥＳと判断した場合）、ステップＳ１２５で、データ処理部１１０は、撮影された２次元コードで示される情報および２次元コードの取得日時を記憶部１２０に記憶させ、記憶が完了した旨を表示するよう表示部１４０を制御する。２次元コードで示される情報には、公開ＵＲＬ、暗号化非公開ＵＲＬ、機種ＩＤ、および、遊技機ＩＤが含まれる。
【０１２８】
図１４に進んで、図１４（Ｃ）を参照して、図１３のステップＳ１２５で携帯端末１００の表示部１４０に表示される画面には、最上段に、このアプリケーションプログラムの名称である「特典受取アプリ」、以下の段に、２次元コードで示される情報が記憶された旨の文章、および、２次元コードの読取りを終了するための「ＯＫ」ボタンが表示される。
【０１２９】
図１３に戻って、図１４（Ｃ）の画面で「ＯＫ」ボタンが操作されると、データ処理部１１０は、実行する処理をステップＳ１２１の処理に戻す。
【０１３０】
次に、ステップＳ１３１で、データ処理部１１０は、図１４（Ａ）のメニュー画面で、遊技者によって「特典受取」リンクが操作されることによって、特典の受取りを開始することが選択されたか否かを判断する。特典受取が選択されていないと判断した場合（ステップＳ１３１でＮＯと判断した場合）、データ処理部１１０は、実行する処理をステップＳ１４１の処理に進める。
【０１３１】
一方、特典受取が選択されたと判断した場合（ステップＳ１３１でＹＥＳと判断した場合）、ステップＳ１３２で、データ処理部１１０は、少なくとも１つの復号アプリが記憶部１２０に記憶されているか否かを判断する。
【０１３２】
復号アプリが少なくとも１つ記憶されていると判断した場合（ステップＳ１３２でＹＥＳの場合）、ステップＳ１３３で、データ処理部１１０は、ステップＳ１２５で記憶部１２０に記憶された２次元コードで示される情報のうち暗号化非公開ＵＲＬを、記憶部１２０に記憶されている復号アプリに含まれるすべての機種および非公開ＵＲＬごとの復号キーで、順次、復号することを試みる。
【０１３３】
そして、ステップＳ１３４で、データ処理部１１０は、暗号化非公開ＵＲＬから正常に復号されたものがあるか否かを判断する。正常に復号されたか否かは、復号されたものがＵＲＬの体をなしているか否か、たとえば、復号されたものが「http://」の文字で始ま
る文字列であるか否かを判断することによって判断することができる。
【０１３４】
復号アプリが１つも記憶されていないと判断した場合（ステップＳ１３２でＮＯと判断した場合）、または、暗号化非公開ＵＲＬから正常に復号されたものがないと判断した場合（ステップＳ１３４でＮＯと判断した場合）、ステップＳ１３７で、データ処理部１１０は、遊技機メーカサーバ２００の公開ＵＲＬのうちの１つであるステップＳ１２５で記憶部１２０に記憶された２次元コードで示される情報に含まれる公開ＵＲＬにアクセスし、特典受取アプリに登録された会員ＩＤ、ならびに、当該２次元コードで示される情報に含まれる機種ＩＤおよび遊技機ＩＤ、ならびに、ステップＳ１２５で記憶部１２０に記憶された取得日時を、遊技機メーカサーバ２００に送信する。
【０１３５】
図１５は、本実施の形態における遊技機メーカサーバ２００で実行される特典付与処理の流れを示すフローチャートである。図１５を参照して、遊技機メーカサーバ２００において、まず、ステップＳ２２１で、データ処理部２１０は、通信部２６０を確認することによって、公開ＵＲＬのうちの１つにアクセスが有ったか否かを判断する。
【０１３６】
公開ＵＲＬにアクセスが無いと判断した場合（ステップＳ２２１でＮＯと判断した場合）、データ処理部２１０は、実行する処理をステップＳ２３１の処理に進める。
【０１３７】
一方、公開ＵＲＬの１つにアクセスが有ったと判断した場合（ステップＳ２２１でＹＥＳと判断した場合）、ステップＳ２２２で、データ処理部２１０は、公開ＵＲＬへのアクセスに伴って送信される情報である会員ＩＤ、機種ＩＤ、遊技機ＩＤおよび取得日時を携帯端末１００から受信したか否かを判断する。
【０１３８】
特典受取アプリからの公開ＵＲＬへのアクセスであれば、図１３のステップＳ１３７で説明したように、当該アクセスに伴って会員ＩＤ、機種ＩＤ、遊技機ＩＤおよび取得日時が送信される。
【０１３９】
このため、公開ＵＲＬへのアクセスに伴って送信される情報を受信していないと判断した場合（ステップＳ２２２でＮＯと判断した場合）、特典受取アプリからのアクセスでないので、ステップＳ２２３で、データ処理部２１０は、特別特典を受取るためには特典受取アプリが必要である旨の示唆情報、および、記憶部２２０に記憶された図６で説明した一般特典ＤＢのアクセスされた公開ＵＲＬに対応する一般特典である待受け画像または着信メロディをダウンロードするためのリンクを含む一般特典ページを、アクセス元の携帯端末１００に送信する。その後、データ処理部２１０は、実行する処理をステップＳ２２１の処理に戻す。
【０１４０】
一方、公開ＵＲＬへのアクセスに伴って送信される情報を受信したと判断した場合（ステップＳ２２２でＹＥＳと判断した場合）、特典受取アプリからのアクセスであり、特典受取アプリは既にダウンロードされているので、ステップＳ２２４で、データ処理部２１０は、図９および図１１（Ｂ）で説明した遊技機機種情報ページにアクセスして機種に応じた復号アプリをダウンロードすればさらに特別特典を受取ることが可能である旨の案内情報、および、記憶部２２０に記憶された図６で説明した一般特典ＤＢのアクセスされた公開ＵＲＬに対応する一般特典である待ち受画像または着信メロディをダウンロードするためのリンクを含む一般特典ページを、アクセス元の携帯端末１００に送信する。その後、データ処理部２１０は、実行する処理をステップＳ２２１の処理に戻す。
【０１４１】
図１３に戻って、携帯端末１００においては、ステップＳ１３８で、データ処理部１１０は、遊技機メーカサーバ２００から一般特典ページを受信するよう無線通信部１６０を制御し、受信した一般特典ページを表示するよう表示部１４０を制御する。
【０１４２】
図１６は、本実施の形態における携帯端末１００の表示部１４０に表示される第４の表示画面図である。図１６（Ａ）を参照して、特典受取アプリからのアクセスでない公開ＵＲＬへのアクセスに応じてステップＳ１３８で携帯端末１００の表示部１４０に表示される一般特典ページには、上段から順に、当該公開ＵＲＬに対応する一般特典である待受け画像ａ、特別特典を受取るためには特典受取アプリが必要である旨の示唆情報、特典受取アプリのダウンロードを促す旨の文章、および、特典受取アプリをダウンロードするためのウェブページのホームページのＵＲＬへのリンクが表示される。
【０１４３】
また、図１６（Ｂ）を参照して、特典受取アプリからの公開ＵＲＬへのアクセスに応じてステップＳ１３８で携帯端末１００の表示部１４０に表示される一般特典ページには、最上段に、一般特典ページを表示させているアプリケーションプログラムの名称である「特典受取アプリ」、以下の段に、当該公開ＵＲＬに対応する一般特典である待受け画像ａ、機種ごとの復号アプリをインストールするとさらに豪華な特別特典を受取ることができる旨の案内情報、特典受取アプリのダウンロードを促す旨の文章、および、特典受取アプリをダウンロードするためのウェブページのホームページのＵＲＬへのリンクが表示される。
【０１４４】
図１３に戻って、一方、暗号化非公開ＵＲＬから正常に復号されたものがあると判断した場合（ステップＳ１３４でＹＥＳと判断した場合）、ステップＳ１３５で、データ処理部１１０は、遊技機メーカサーバ２００の非公開ＵＲＬのうちの１つである、ステップＳ１３３で復号された非公開ＵＲＬにアクセスするとともに、特典受取アプリに登録された会員ＩＤ、ならびに、ステップＳ１２５で記憶部１２０に記憶された２次元コードで示される情報に含まれる機種ＩＤ、遊技機ＩＤおよび大当り回数、ならびに、ステップＳ１２５で記憶部１２０に記憶された取得日時を、遊技機メーカサーバ２００に送信する。
【０１４５】
図１５に進んで、遊技機メーカサーバ２００において、ステップＳ２３１で、データ処理部２１０は、通信部２６０を確認することによって、非公開ＵＲＬのうちの１つにアクセスが有って、非公開ＵＲＬへのアクセスに伴って送信される情報である会員ＩＤ、機種ＩＤ、遊技機ＩＤおよび取得日時を携帯端末１００から受信したか否かを判断する。
【０１４６】
会員ＩＤの送信は、特定プログラム（たとえば、特典受取アプリ＋復号アプリ）を記憶している携帯端末１００がその特定プログラムに従ってアクセスしなければ送信できないものであり、このステップＳ２３１により、携帯端末１００からの受信情報中に会員ＩＤが含まれているか否かを判断することが、特定プログラムに従ったアクセスであるか否かの判断となる。
【０１４７】
本実施の形態においては、復号された非公開ＵＲＬは遊技者に表示されないようにしているが、該遊技者が該特定プログラムを改造し、復号後の非公開ＵＲＬが表示された場合であっても、サーバにて、非公開ＵＲＬへのアクセスに伴って送信される会員ＩＤ等の情報を受信したか否かを判断することによって、非公開ＵＲＬが一度復号されたものが、特定プログラムを記憶していない携帯端末にコピーされて使い回された場合であっても、特定プログラムを記憶していない携帯端末からは、会員ＩＤ等が送信されないため、ステップＳ２３１にてＮＯと判断され、特別特典は付与されない。これにより、効果的に使い回しを防止することができる。
【０１４８】
また、復号された非公開ＵＲＬを表示するようにした場合であっても、特定プログラムを記憶していない携帯端末からは、会員ＩＤ等が送信されないため、ステップＳ２３１にてＮＯと判断され、特別特典は付与されない。つまり、この場合であっても、効果的に使い回しを防止することができる。
【０１４９】
非公開ＵＲＬへのアクセスが無いと判断した場合（ステップＳ２３１でＮＯの場合）、データ処理部２１０は、実行する処理をステップＳ２２１の処理に戻す。
【０１５０】
一方、非公開ＵＲＬへのアクセスが有って、伴って送信される情報も受信されたと判断した場合（ステップＳ２３１でＹＥＳの場合）、ステップＳ２３２で、データ処理部２１０は、記憶部２２０に記憶されている図５で説明した会員情報ＤＢに、ステップＳ２３１で受信した会員ＩＤに対して、ステップＳ２３１で受信した機種ＩＤが既に記憶されているか否かを判断する。
【０１５１】
当該会員ＩＤに対して当該機種ＩＤが既に記憶されていると判断した場合（ステップＳ２３２でＹＥＳと判断した場合）、データ処理部２１０は、実行する処理をステップＳ２３４の処理に進める。
【０１５２】
一方、当該会員ＩＤに対して当該機種ＩＤが記憶されていないと判断した場合（ステップＳ２３２でＮＯと判断した場合）、ステップＳ２３３で、データ処理部２１０は、図５の会員情報ＤＢに、当該会員ＩＤに対応させて当該機種ＩＤを特典付与済機種ＩＤとして記憶させ、当該会員ＩＤに対応する特典付与機種数を１加算更新する。その後、データ処理部２１０は、実行する処理をステップＳ２３４の処理に進める。
【０１５３】
次に、ステップＳ２３４で、データ処理部２１０は、アクセスが有った非公開ＵＲＬに対応する大当り回数または特典付与機種数に応じた特別特典が、付与を制限する制限対象特典であるか否かを判断する。アクセスが有った非公開ＵＲＬに対応する特別特典が制限対象でないと判断した場合（ステップＳ２３４でＮＯと判断した場合）、データ処理部２１０は、実行する処理をステップＳ２３７の処理に進める。
【０１５４】
一方、アクセスが有った非公開ＵＲＬに対応する特別特典が制限対象であると判断した場合（ステップＳ２３４でＹＥＳと判断した場合）、ステップＳ２３５で、データ処理部２１０は、記憶部２２０に記憶されている図８で説明した付与済特定情報ＤＢに、当該非公開ＵＲＬおよびステップＳ２３１で受信した遊技機ＩＤに対して記憶されている取得日時を含む所定時間の範囲（たとえば、取得日時の前後１分の範囲）に、ステップＳ２３１で受信した取得日時が含まれるような、遊技機ＩＤおよび取得日時の組合せが既に記憶されているか否かを判断する。
【０１５５】
なお、このように判断することが、２次元コードを特定可能な情報であるステップＳ２３１で受信した遊技機ＩＤおよび取得日時の組合せが、付与済特定情報ＤＢに既に記憶されているか否かを判断することであるとみなす。
【０１５６】
たとえば、２次元コードがｔ分間表示される場合、図８の付与済特定情報ＤＢに、取得日時として、１０月２日１０時３０分を示す「10021030」が記憶されているとすると、１０月２日１０時（３０−ｔ）分から（３０＋ｔ）分までの間に、複数回２次元コードが撮影されている可能性があるので、所定時間の範囲は、記憶されている取得日時の前後ｔ分の範囲を少なくとも含む範囲とすることが好ましい。
【０１５７】
これによって、パチンコ遊技機７００に表示された２次元コードをそのまま他の携帯端末にコピーして使い回すこと、および、パチンコ遊技機７００に表示された２次元コードを複数台の携帯端末で同時に撮影して使うことだけでなく、パチンコ遊技機７００に表示された２次元コードを時間をずらして１台または複数の携帯端末で撮影して使うことも防止することができる。
【０１５８】
遊技機ＩＤおよび取得日時の組合せが既に記憶されていると判断した場合（ステップＳ２３５でＹＥＳと判断した場合）、ステップＳ２３８で、データ処理部２１０は、当該非公開ＵＲＬに対応する特別特典は既に付与済である旨を、アクセス元の携帯端末１００に送信する。その後、データ処理部２１０は、実行する処理をステップＳ２２１の処理に戻す。
【０１５９】
一方、遊技機ＩＤおよび取得日時の組合せが未だ記憶されていないと判断した場合（ステップＳ２３５でＮＯと判断した場合）、ステップＳ２３６で、データ処理部２１０は、図８の付与済特定情報ＤＢに、アクセスが有った非公開ＵＲＬに対応させて、ステップＳ２３１で受信した遊技機ＩＤおよび取得日時の組合せを記憶させる。
【０１６０】
次に、ステップＳ２３７で、ステップＳ２３１で受信した情報に大当り回数が含まれていれば、大当り回数に応じた特別特典を含む特別特典ページを、アクセス元の携帯端末１００に送信し、ステップＳ２３１で受信した情報に大当り回数が含まれていなければ、特典付与機種数に応じた特別特典ページを、アクセス元の携帯端末１００に送信する。その後、データ処理部２１０は、実行する処理をステップＳ２２１の処理に戻す。
【０１６１】
図１３に戻って、携帯端末１００においては、ステップＳ１３６で、データ処理部１１０は、遊技機メーカサーバ２００から特別特典ページを受信するよう無線通信部１６０を制御し、受信した特別特典ページを表示するよう表示部１４０を制御する。
【０１６２】
図１６に進んで、図１６（Ｃ）を参照して、携帯端末１００から遊技機メーカサーバ２００へ送信される情報に大当り回数が含まれない非公開ＵＲＬへのアクセスに応じてステップＳ１３６で携帯端末１００の表示部１４０に表示される特別特典ページには、最上段に、特別特典ページを表示させているアプリケーションプログラムの名称である「特典受取アプリ」、以下の段に、当該非公開ＵＲＬに対応する特別特典であるａｂ合体待受け画像、特典付与機種数に応じた特別特典である記念品が付与される旨、および、当該記念品の受取方法を説明するウェブページへのリンクである「コチラ」が表示される。
【０１６３】
また、携帯端末から遊技機メーカサーバ２００へ送信される情報にに大当り回数が含まれる非公開ＵＲＬへのアクセスに応じてステップＳ１３６で携帯端末１００の表示部１４０に表示される特別特典ページには、最上段に、特別特典ページを表示させているアプリケーションプログラムの名称である「特典受取アプリ」、以下の段に、当該非公開ＵＲＬに対応する特別特典であるａｂ対決待受け画像、および、大当り回数に応じた特別特典である買物ポイントが付与された旨が表示される。
【０１６４】
図１３に戻って、ステップＳ１３６またはステップＳ１３８の後、ステップＳ１３９で、データ処理部１１０は、ステップＳ１２５で記憶部１２０に記憶された２次元コードで示される情報を記憶部１２０から削除する。その後、データ処理部１１０は、実行する処理をステップＳ１２１の処理に戻す。
【０１６５】
また、ステップＳ１４１では、データ処理部１１０は、図１４（Ａ）のメニュー画面で、遊技者によって「終了」リンクが操作されることによって、特典受取アプリを終了させることが選択されたか否かを判断する。特典受取アプリの終了が選択されていないと判断した場合（ステップＳ１４１でＮＯと判断した場合）、データ処理部１１０は、実行する処理をステップＳ１２１に戻す。
【０１６６】
一方、特典受取アプリの終了が選択されたと判断した場合（ステップＳ１４１でＹＥＳと判断した場合）、データ処理部１１０は、この特典受取アプリを終了させる。
【０１６７】
図１７は、本実施の形態における遊技機メーカサーバ２００で実行される特典設定処理の流れを示すフローチャートである。図１７を参照して、遊技機メーカサーバ２００において、まず、ステップＳ３０１で、ある遊技機の機種に対応する、公開ＵＲＬおよび一般特典の組合せ、ならびに、非公開ＵＲＬ、大当り回数、特典付与機種数、特別特典および制限対象であるか否かを示す制限情報の組合せが、データ入力部２３０から入力されたか否かを判断する。
【０１６８】
それぞれの組合せに含まれる各情報が入力されていないと判断した場合（ステップＳ３０１でＮＯと判断した場合）、データ処理部２１０は、実行する処理をステップＳ３１３の処理に進める。
【０１６９】
一方、それぞれの組合せに含まれる各情報が入力されたと判断した場合（ステップＳ３０１でＹＥＳと判断した場合）、ステップＳ３０２で、データ処理部２１０は、入力されたそれぞれの組合せに含まれる情報を、図６で説明した一般特典ＤＢ、および、図７で説明した特別特典ＤＢに記憶させる。
【０１７０】
たとえば、公開ＵＲＬとして「http://sankyo-fever.co.jp/mobile/kokai1」、
一般特典として「待受け画像ａ」が入力された場合、図６で説明した一般特典ＤＢの特典Ｎｏ．１１０で示すように、公開ＵＲＬおよび一般特典の組合せが記憶される。
【０１７１】
また、非公開ＵＲＬとして「http://sankyo-fever.co.jp/mobile/hikokai11」、大当り回数として「５〜９」回、特典付与機種数として「−」、特別特典として「ａｂ合体待受け画像＋買物ポイント１０ｐｔ」、制限対象として「制限あり」、対応一般特典Ｎｏ．として「１１０」が入力された場合、図７で説明した特別特典ＤＢの特典Ｎｏ．１１２で示すように、非公開ＵＲＬ、大当り回数、特典付与機種数、特別特典、制限情報および対応一般特典Ｎｏ．の組合せが記憶される。
【０１７２】
次に、ステップＳ３０３で、２次元コードを記憶させる当該機種の遊技機の機種ＩＤおよび複数の遊技機ＩＤが、データ入力部２３０から入力されたか否かを判断する。入力されていないと判断した場合（ステップＳ３０３でＮＯと判断した場合）、データ処理部２１０は、ステップＳ３０３の処理を繰返す。
【０１７３】
一方、機種ＩＤおよび複数の遊技機ＩＤが入力されたと判断した場合（ステップＳ３０３でＹＥＳと判断した場合）、ステップＳ３０４で、データ処理部２１０は、機種ごとの暗号キーで、ステップＳ３０１で入力された非公開ＵＲＬを暗号化する。
【０１７４】
そして、ステップＳ３０５で、データ処理部２１０は、当該暗号キーに対応する復号キーを含む復号アプリを生成して、記憶部２２０に記憶させる。
【０１７５】
次に、データ処理部２１０は、当該パチンコ遊技機７００の新機種情報ＨＰ（HomePage）の公開日であれば（ステップＳ３１３でＹＥＳであれば）、ステップＳ３１４で、図５で説明した会員情報ＤＢのメールアドレス宛に、当該新機種の復号アプリがダウンロード可能となった旨を会員の携帯端末１００に電子メールで送信する。
【０１７６】
次に、前述した実施の形態により得られる主な効果を説明する。
（１−１）  遊技機（たとえば、パチンコ遊技機７００）から出力される出力情報（たとえば、２次元コード１９１）を取得する出力情報取得手段（たとえば、カメラ部１９０、データ処理部１１０、図１３のステップＳ１２３〜ステップＳ１２５）を有する携帯端末（たとえば、携帯端末１００）と、前記出力情報を取得した前記携帯端末からのアクセスに応じて特典（たとえば、買物ポイント，記念品）を付与するための処理を行なうサーバ（たとえば、遊技機メーカサーバ２００）とを備える遊技用システム（たとえば、特典付与システム１０）であって、
前記携帯端末は、
前記特典を受けるための特定アクセス（たとえば、非公開ＵＲＬへのアクセス）を行なうための前記携帯端末の処理手順を示す特定プログラム（たとえば、特典受取アプリ＋復号アプリ）を記憶するプログラム記憶手段（たとえば、データ処理部１１０、記憶部１２０、図９のステップＳ１０５，ステップＳ１１９）と、
前記出力情報取得手段によって前記出力情報が取得されたこと（たとえば、図１３のステップＳ１２５で２次元コード１９１が記憶されて、ステップＳ１３４でその２次元コード１９１で示される非公開ＵＲＬが正常に復号されたと判断されたこと）を条件として、前記プログラム記憶手段に記憶された前記特定プログラムに従って、前記サーバに前記特定アクセスを行なう特定アクセス手段（たとえば、データ処理部１１０、無線通信部１６０、図１３のステップＳ１３５）とを備え、
前記サーバは、
前記携帯端末からのアクセスを受付けるアクセス受付手段（たとえば、通信部２６０、データ処理部２１０、図１５のステップＳ２２１，ステップＳ２３１）と、
該アクセス受付手段によって受付けられたアクセスが前記特定アクセスであること（たとえば、図１５のステップＳ２３１で非公開ＵＲＬにアクセスが有ったと判断されたこと）を条件として、前記特典を付与するための特典付与処理（たとえば、特別特典ページを携帯端末１００に送信する処理）を行なう特典付与手段（たとえば、データ処理部２１０、通信部２６０、図１５のステップＳ２３７）とを備える。
【０１７７】
また、遊技用サーバ（たとえば、遊技機メーカサーバ２００）は、
携帯端末（たとえば、携帯端末１００）において遊技機（たとえば、パチンコ遊技機７００）から出力される出力情報（たとえば、２次元コード１９１）が取得されたこと（たとえば、図１３のステップＳ１２５で２次元コード１９１が記憶されて、ステップＳ１３４でその２次元コード１９１で示される非公開ＵＲＬが正常に復号されたと判断されたこと）を条件として前記携帯端末の処理手順を示す特定プログラム（たとえば、特典受取アプリ＋復号アプリ）に従って行なわれる特典を受けるための特定アクセス（たとえば、非公開ＵＲＬへのアクセス）を受付けるアクセス受付手段（たとえば、通信部２６０、データ処理部２１０、図１５のステップＳ２２１、ステップＳ２３１）と、
該アクセス受付手段によって受付けられたアクセスが前記特定アクセスであること（たとえば、図１５のステップＳ２３１で非公開ＵＲＬにアクセスが有ったと判断されたこと）を条件として、前記特典を付与するための特典付与処理（たとえば、特別特典ページを携帯端末１００に送信する処理）を行なう特典付与手段（たとえば、データ処理部２１０、通信部２６０、図１５のステップＳ２３７）とを備える。
【０１７８】
さらに、遊技機（たとえば、パチンコ遊技機７００）から出力される出力情報（たとえば、２次元コード１９１）を取得する携帯端末（たとえば、携帯端末１００）に記憶され実行される携帯端末用プログラム（たとえば、特典受取アプリ＋復号アプリ）と、前記出力情報を取得した前記携帯端末からのアクセスに応じて特典（たとえば、買物ポイント，記念品）を付与するための処理を行なうサーバ（たとえば、遊技機メーカサーバ２００）によって実行されるサーバ用プログラム（図１５の特典付与処理）とを含む遊技用プログラムであって、
前記携帯端末用プログラムは、
前記特典を受けるための特定アクセス（たとえば、非公開ＵＲＬへのアクセス）を行なうための処理手順を示すプログラム（たとえば、特典受取アプリ＋復号アプリ）であって、
前記出力情報が取得されたこと（たとえば、図１３のステップＳ１２５で２次元コード１９１が記憶されて、ステップＳ１３４でその２次元コード１９１で示される非公開ＵＲＬが正常に復号されたと判断されたこと）を条件として、前記サーバに前記特定アクセスを行なうステップ（たとえば、データ処理部１１０、無線通信部１６０、図１３のステップＳ１３５）を前記携帯端末に実行させ、
前記サーバ用プログラムは、
前記携帯端末からのアクセスを受付けるステップ（たとえば、通信部２６０、データ処理部２１０、図１５のステップＳ２２１，ステップＳ２３１）と、
受付けられたアクセスが前記特定アクセスであること（たとえば、図１５のステップＳ２３１で非公開ＵＲＬにアクセスが有ったと判断されたこと）を条件として、前記特典を付与するための特典付与処理（たとえば、特別特典ページを携帯端末１００に送信する処理）を行なうステップ（たとえば、データ処理部２１０、通信部２６０、図１５のステップＳ２３７）とを前記サーバに実行させる。
【０１７９】
つまり、図１３のステップＳ１２３〜ステップＳ１２５で説明したように、携帯端末１００によって、パチンコ遊技機７００から出力される２次元コードが取得される。図９のステップＳ１０５，ステップＳ１１９で説明したように、携帯端末１００によって、特別特典を受けるための非公開ＵＲＬへのアクセスを行なうための携帯端末１００の処理手順を示す特典受取アプリ＋復号アプリが記憶部１２０に記憶される。図１３のステップＳ１２５，ステップＳ１３４，ステップＳ１３５で説明したように、携帯端末１００によって、２次元コードが取得されたことを条件として、記憶された特典受取アプリ＋復号アプリに従って、サーバの非公開ＵＲＬへのアクセスが行なわれる。
【０１８０】
また、図１５のステップＳ２２１，ステップＳ２３１で説明したように、遊技機メーカサーバ２００によって、携帯端末１００からのアクセスが受付けられる。図１５のステップＳ２３１，ステップＳ２３７で説明したように、遊技機メーカサーバ２００によって、受付けられたアクセスが非公開ＵＲＬへのアクセスであることを条件として、特別特典ページを携帯端末１００に送信する処理が行なわれる。
【０１８１】
このように、２次元コードを正規に取得した遊技者が特別特典の付与を受けられないといった事態を防止しつつ、特典受取アプリ＋復号アプリを記憶していない携帯端末１００を用いた２次元コードの使い回しを効果的に制限することができる。
【０１８２】
また、背景技術にも記載したように、従来のように、遊技機が、現在時刻情報に基づきＱＲコードを表示して、サーバが、ＱＲコードの時刻情報によってＱＲコードが正規のものであるか否かを判断するシステムの場合、時刻を計時して時刻情報により暗号化したＱＲコードを作成する機能を遊技機に搭載する必要があるため、このような機能を有さない遊技機（既存の遊技機、および、コスト低減のため当該機能が搭載されなかった新機種）については、ＱＲコードに含められたＵＲＬの使い回し等の行為を制限できないという問題があった。
【０１８３】
しかし、本実施の形態における特典付与システム１０によれば、図１２のステップＳ７０３，ステップＳ７０５，ステップＳ７０７で説明したように、パチンコ遊技機７００によって、予め記憶された２次元コードが表示されて、図１３のステップＳ１２３〜ステップＳ１２５，ステップＳ１３５で説明したように、携帯端末１００によって、当該２次元コードが取得されて、特典受取アプリが実行されることによって、２次元コードで示される情報と特典受取アプリに含まれる会員ＩＤとが遊技機メーカサーバ２００に送信されて、図１５のステップＳ２３１で説明したように、遊技機メーカサーバ２００によって、会員ＩＤ等の情報が受信されることによって、正規の２次元コードに含められたＵＲＬに基づくアクセスであると判断するようにする。
【０１８４】
このように、遊技機メーカサーバ２００および特典受取アプリの機能によって正規のアクセスであるか否かを判断するので、ＲＴＣ（RealTimeClock）機能およびＱＲコード作成機能などの特別な出力情報を作成する機能をパチンコ遊技機７００に備えなくても、２次元コードの使い回しを効果的に制限することができる。
【０１８５】
（１−２）  前記出力情報は、前記遊技機での遊技結果（たとえば、大当り回数）を特定可能な遊技結果情報を含み、
前記特定アクセス手段は、前記特定アクセスに伴って前記遊技結果情報を前記サーバに送信し（たとえば、図１３のステップＳ１３５）、
前記特典付与手段は、前記アクセス受付手段によって受付けられた前記特定アクセスに伴って送信される前記遊技結果情報に応じた前記特典付与処理（たとえば、大当り回数に応じた買物ポイントを付与する特別特典ページを携帯端末に送信する処理）を行なう。
【０１８６】
つまり、図１３のステップＳ１２３〜ステップＳ１２５で説明したように、携帯端末１００によって、パチンコ遊技機７００での大当り回数を特定可能な情報を含む２次元コードが取得される。図１３のステップＳ１３５で説明したように、携帯端末１００によって、非公開ＵＲＬへのアクセスに伴って大当り回数を特定可能な情報が遊技機メーカサーバ２００に送信される。また、図１５のステップＳ２３７で説明したように、遊技機メーカサーバ２００によって、受付けられた非公開ＵＲＬへのアクセスに伴って送信される大当り回数を特定可能な情報で特定される大当り回数に応じた買物ポイントを付与する特別特典ページが携帯端末１００に送信される。
【０１８７】
このように、特典付与システム１０によって、大当り回数などの遊技結果に応じた特別特典が付与される。その結果、遊技者の遊技意欲を掻き立てることができる。
【０１８８】
（１−３）  前記特定アクセス手段は、前記特定アクセスに伴って、前記出力情報取得手段によって取得された前記出力情報を特定可能な出力特定情報（たとえば、遊技機ＩＤおよび２次元コード１９１の取得日時）を前記サーバに送信し（たとえば、図１３のステップＳ１３５）、
前記サーバは、さらに、
前記アクセス受付手段によって受付けられた前記特定アクセスに伴って送信される前記出力特定情報を少なくとも管理する管理手段（たとえば、データ処理部２１０、記憶部２２０、図８の付与済特定情報ＤＢ、図１５のステップＳ２３６）と、
前記アクセス受付手段によって前記特定アクセスが受付られたとき（図１５のステップＳ２３１で非公開ＵＲＬにアクセスがあったと判断されたとき）に、前記アクセス受付手段によって受付けられた前記特定アクセスに伴って送信される前記出力特定情報が前記管理手段によって既に管理されていること（たとえば、図１５のステップＳ２３５でＹＥＳと判断されること）を条件として、前記特典付与手段による前記特典付与処理を禁止する特典付与禁止手段（たとえば、データ処理部２１０、ステップＳ２３７で特別特典ページを送信せずに、ステップＳ２３８で特典を付与済である旨を送信する）とを備える。
【０１８９】
つまり、図１３のステップＳ１３５で説明したように、携帯端末１００によって、非公開ＵＲＬへのアクセスに伴って、パチンコ遊技機７００から取得された２次元コードを特定可能な遊技機ＩＤおよび２次元コードの取得日時が遊技機メーカサーバ２００に送信される。また、図１５のステップＳ２３６で説明したように、遊技機メーカサーバ２００によって、受付けられた非公開ＵＲＬへのアクセスに伴って送信される遊技機ＩＤおよび２次元コードの取得日時が、当該非公開ＵＲＬに対応させて、図８の付与済特定情報ＤＢに記憶される。また、図１５のステップＳ２３１，ステップＳ２３５，ステップＳ２３７，ステップＳ２３８で説明したように、遊技機メーカサーバ２００によって、非公開ＵＲＬへのアクセスが受付けられたときに、受付けられた非公開ＵＲＬへのアクセスに伴って送信される遊技機ＩＤおよび取得日時が付与済特定情報ＤＢに既に記憶されていることを条件として、特別特典ページが付与されずに、当該特別特典を付与済である旨が送信される。
【０１９０】
このように、ある２次元コードに基づいて非公開ＵＲＬへのアクセスが行なわれ特別特典が付与されると、当該２次元コードを特定可能な遊技機ＩＤおよび取得日時が付与済特典ＤＢに記憶されるので、その後に、その２次元コードに基づいて非公開ＵＲＬへのアクセスが行なわれてもその２次元コードの遊技機ＩＤおよび取得日時が既に記憶されているので、当該非公開ＵＲＬに対応する特別特典の付与が禁止される。その結果、同一の２次元コードに基づいて繰返し非公開ＵＲＬへのアクセスを行ない特別特典の付与を受けるような行為を防止することができる。
【０１９１】
（１−４）  前記サーバは、さらに、
前記前記特典付与禁止手段によって特典付与処理を禁止する対象とする出力情報である禁止対象出力情報を設定する設定手段（たとえば、データ処理部２１０、記憶部２２０、図７の特別特典ＤＢ、図１７のステップＳ３０１）を備え、
前記特典付与禁止手段は、前記アクセス受付手段によって受付けられた前記特定アクセスに伴って送信される前記出力特定情報によって特定される出力情報が、前記設定手段によって設定された前記禁止対象出力情報であること（たとえば、図１５のステップＳ２３４でＹＥＳと判断されること）をさらに条件として、前記特典付与手段による前記特典付与処理を禁止する。
【０１９２】
つまり、図１７のステップＳ３０１で説明したように、遊技機メーカサーバ２００によって、２次元コードの遊技機ＩＤおよび取得日時が既に記憶されている場合に特別特典の付与を禁止する対象、つまり制限対象とする２次元コードで示される非公開ＵＲＬ、大当り回数および特典付与済機種数の組合せが設定される。図１５のステップＳ２３４，ステップＳ２３５，ステップＳ２３７，ステップＳ２３８で説明したように、受付けられた非公開ＵＲＬへのアクセスに伴って送信される遊技機ＩＤおよび取得日時によって特定される２次元コードが、設定された制限対象とする２次元コードであることをさらに条件として、２次元コードの遊技機ＩＤおよび取得日時が既に記憶されている場合に特別特典の付与が禁止される。
【０１９３】
このように、特別特典の内容に応じて、繰返しの特別特典の付与を禁止する制限対象とするか否かを適切に設定できる。
【０１９４】
（１−５）  前記サーバは、さらに、
前記アクセス受付手段によって受付けられたアクセスが前記特定アクセスでないこと（たとえば、図１５のステップＳ２２１でＹＥＳと判断されること）を条件として、当該アクセスを行なった前記携帯端末に対して、前記特典を受けるためには前記特定プログラムが必要である旨を示す示唆情報（たとえば、示唆情報）を返信する示唆情報返信手段（たとえば、データ処理部２１０、通信部２６０、図１５のステップＳ２２３）を備える。
【０１９５】
つまり、図１５のステップＳ２２１，ステップＳ２２３で説明したように、遊技機メーカサーバ２００によって、受付けられたアクセスが非公開ＵＲＬへのアクセスでないことを条件として、当該アクセスを行なった携帯端末１００に対して、特別特典を受けるためには特典受取アプリが必要である旨を示す示唆情報が返信される。
【０１９６】
このように、特別特典の付与を受けるためには特典受取アプリの取得が必要であることを遊技者に認識させることができる。
【０１９７】
（２−１）  図１３のステップＳ１２３〜ステップＳ１２５で説明したように、携帯端末１００によって、パチンコ遊技機７００から出力される２次元コードが取得される。図９のステップＳ２１１〜ステップＳ２１４で説明したように、遊技機メーカサーバ２００によって、携帯端末１００からの遊技機機種選択ページおよび遊技機機種情報ページへのアクセスに応じて予め記憶している遊技機機種選択ページおよび遊技機機種情報ページが送信される。図９のステップＳ２０１，ステップＳ２１１，ステップＳ２１３，ステップＳ２１５、図１５のステップＳ２２１，ステップＳ２３１で説明したように、遊技機メーカサーバ２００によって、携帯端末１００からのアクセスが受付けられる。図９のステップＳ２１５，ステップＳ２１６で説明したように、図９のステップＳ２１２で送信された遊技機機種選択ページにおいて、ステップＳ１１４で遊技者によって所望の機種の遊技機機種情報ページのＵＲＬが指定されてステップＳ１１５で行なわれたアクセスに応じてステップＳ２１４で送信された遊技機機種情報ページにおいて、ステップＳ１１７で遊技者によって復号アプリのＤＬページのＵＲＬが指定されてステップＳ１１８で行なわれた復号アプリのＤＬページへのアクセスがステップＳ２１５で有ったと判断されたことを条件として、当該アクセスを行なった携帯端末１００に対して、暗号化非公開ＵＲＬを復号するための携帯端末１００の処理手順を示す復号アプリが送信される。
【０１９８】
また、図９のステップＳ１１９で説明したように、携帯端末１００によって、遊技機メーカサーバ２００から送信されてきた復号アプリが記憶部１２０に記憶される。図１３のステップＳ１３３で説明したように、携帯端末１００によって、記憶された復号アプリに従って、取得された２次元コードで示される情報に含まれる暗号化非公開ＵＲＬが復号される。
【０１９９】
そして、図１３のステップＳ１３７で説明したように、携帯端末１００によって、図１３のステップＳ１３２で復号アプリが当該携帯端末１００に記憶されていないと判断され、かつ、図１３のステップＳ１２３からステップＳ１２５までで２次元コードが撮影され２次元コードで示される情報が記憶されたことを条件として、当該２次元コードで示される情報に含まれる公開ＵＲＬに基づくアクセスが行なわれる。一方、図１３のステップＳ１３５で説明したように、図１３のステップＳ１３２で復号アプリが当該携帯端末１００に記憶されていると判断され、かつ、図１３のステップＳ１２３からステップＳ１２５までで２次元コードが撮影され２次元コードで示される情報が記憶されたことを条件として、復号された非公開ＵＲＬに基づくアクセスが行なわれる。
【０２００】
また、図１５のステップＳ２２４で説明したように、遊技機メーカサーバ２００によって、図１５のステップＳ２２１で公開ＵＲＬへのアクセスが受付けられたと判断されたことを条件として、一般特典ページを携帯端末１００に送信する処理が行なわれる。一方、図１５のステップＳ２３７で説明したように、遊技機メーカサーバ２００によって、図１５のステップＳ２３１で非公開ＵＲＬへのアクセスが受付けられたと判断されたことを条件として、特別特典ページを携帯端末１００に送信する処理が行なわれる。
【０２０１】
このように、特別特典を受けるためには、復号アプリの配信を受けておく必要があるので、遊技機機種選択ページおよび遊技機機種情報ページへのアクセスを行なう必要がある。また、復号アプリの配信を受けた後特別特典を受けるためには、パチンコ遊技機７００から出力される２次元コードを取得する必要があるので、実際にパチンコ遊技機７００で遊技する必要がある。
【０２０２】
その結果、パチンコ遊技機７００での遊技が遊技機機種選択ページおよび遊技機機種情報ページにアクセスすることに対する動機付けになるとともに、遊技機機種選択ページおよび遊技機機種情報ページへのアクセスがパチンコ遊技機７００において遊技することに対する動機付けとなるといった相乗効果を得ることが可能な特典付与システム１０を提供することができる。
【０２０３】
（２−２）  図１５のステップＳ２２４で説明したように、遊技機メーカサーバ２００によって、公開ＵＲＬへのアクセスを行なった携帯端末１００に対して、遊技機機種選択ページおよび遊技機機種情報ページへのアクセスを条件に特別特典の付与が受けられる旨を示す案内情報が返信される。
【０２０４】
このように、特別特典の付与を受けられることを知らない遊技者に案内情報が送信される。その結果、遊技機機種選択ページおよび遊技機機種情報ページへのアクセスを新たな遊技者に対して促すことができるので、遊技機機種選択ページおよび遊技機機種情報ページへのアクセス数を増加させることができる。
【０２０５】
（２−３）  図９のステップＳ２１４で説明したように、遊技機メーカサーバ２００によって、パチンコ遊技機７００の各機種ごとの機種情報を含む遊技機機種情報ページが送信される。図９のステップＳ２１６で説明したように、遊技機メーカサーバ２００によって、図９のステップＳ１１４で遊技者の所望の機種の遊技機機種情報ページのＵＲＬが指定されることに応じてステップＳ２１４で送信された遊技機機種情報ページの復号アプリＤＬページのＵＲＬが指定されることに応じて対応する復号アプリが送信される。また、図１３のステップＳ１３２〜ステップＳ１３５で説明したように、携帯端末１００によって、ステップＳ１３２で、少なくとも１つの復号アプリが記憶されていると判断され、ステップＳ１３３で、記憶されたすべての復号アプリで暗号化非公開ＵＲＬの復号が試みられ、ステップＳ１３４で、正常に復号されたものがあったと判断されることによって、間接的に、取得された２次元コードに含まれる機種ＩＤから特定される機種の復号アプリが記憶部１１０に記憶されていると判断されることをさらに条件として、非公開ＵＲＬへのアクセスが行なわれる。
【０２０６】
このように、特別特典を受けるためには、さらに、２次元コードが出力されるパチンコ遊技機７００の機種の復号アプリが必要である。その結果、遊技機機種情報ページへアクセスして機種ごとに復号アプリを取得する必要があるため、遊技機機種情報ページへのアクセス数を増加させることができる。
【０２０７】
（２−４）  図１７のステップＳ３１４で説明したように、遊技機メーカサーバ２００によって、ステップＳ３１３で新機種情報ＨＰの公開日であると判断されたことを条件として、当該新機種の復号アプリが送信可能とされた旨を示す電子メールが携帯端末１００に送信される。
【０２０８】
このため、新機種の復号アプリが送信可能となったことを遊技者に認識させることができ、特別特典を受けるための準備を事前に遊技者にさせることができる。その結果、遊技者の利便性を向上させることができる。
【０２０９】
（２−５）  図１３のステップＳ１３５で説明したように、携帯端末１００によって、非公開ＵＲＬへのアクセスに伴って、当該携帯端末１００を識別可能な会員ＩＤおよび取得された２次元コードに含まれる機種ＩＤが送信される。そして、図１５のステップＳ２３１で説明したように、遊技機メーカサーバ２００によって、非公開ＵＲＬへのアクセスに伴って送信される会員ＩＤおよび機種ＩＤが受信される。図１５のステップＳ２３３で説明したように、遊技機メーカサーバ２００によって、各会員ＩＤごとの、受付けられた機種ＩＤで特定される機種の累計の特典付与済機種数が加算更新される。図１５のステップＳ２３７で説明したように、遊技機メーカサーバ２００によって、非公開ＵＲＬへのアクセスを行なった携帯端末１００の会員ＩＤの計数された特典付与済機種数に応じた特別特典を含む特別得点ページが送信される。
【０２１０】
このように、遊技者が２次元コードを取得したパチンコ遊技機７００の特典付与済機種数に応じた特別特典が付与される。その結果、より多くの機種で遊技することを遊技者に促すことができる。
【０２１１】
次に前述した実施の形態の変形例を挙げる。
（１）  前述した実施の形態においては、携帯端末の例として、たとえば電話機能を有する携帯端末１００を示した。しかし、これに限定されず、本発明における携帯端末は、２次元コード１９１などのアクセス先を特定可能な情報を取得する機能と、サーバにアクセスを行なう機能とを有する携帯端末であれば、どのような携帯端末であってもよく、たとえば、ＰＤＡ（Personal Digital Assistant）、携帯型パーソナルコンピュータ、および、腕時計などであってもよい。
【０２１２】
（２）  前述した実施の形態においては、特典受取アプリと復号アプリとを遊技機メーカサーバ２００から携帯端末１００がダウンロードするものを示したが、それに代えて、それらアプリの一方または双方を予め記憶している携帯端末１００であってもよい。
【０２１３】
（３）  前述した実施の形態においては、特典付与システム１０のサーバの例として、遊技機メーカサーバ２００を示した。しかし、これに限定されず、本発明におけるサーバは、ウェブサーバ機能（機種情報を提供する機能を含む）と、携帯端末１００に特典を付与する機能とを有するサーバであれば、どのようなサーバであってもよく、たとえば、ウェブサーバ機能を有するサーバと、携帯端末１００に特典を付与する機能を有するサーバとを含むサーバ群であってもよい。この場合、アクセス受付手段は、各々のサーバに設けられる。つまり、アクセス受付手段は、複数のものから構成されていてもよい。
【０２１４】
（４）  前述した実施の形態においては、遊技機の例として、たとえばパチンコ遊技機７００を示した。しかし、これに限定されず、本発明における遊技機は、２次元コード１９１などのアクセス先を特定可能な情報を表示する機能を有する遊技機であれば、どのような遊技機であってもよく、たとえば、スロットマシン、業務用ゲーム機、および、家庭用ゲーム機などであってもよい。
【０２１５】
（５）  前述した実施の形態においては、図１３のステップＳ１３５で、携帯端末１００によって、非公開ＵＲＬへのアクセスに伴って、遊技者の携帯端末を識別可能な会員ＩＤおよびパチンコ遊技機７００から取得した２次元コードで示される情報にふくまれる機種ＩＤが送信されるようにした。そして、図１５のステップＳ２３１で、遊技機メーカサーバ２００によって、非公開ＵＲＬへのアクセスに伴って送信される会員ＩＤおよび機種ＩＤが受信され、ステップＳ２３３で、会員ＩＤごとに図５の会員情報ＤＢに記憶された、受信された機種ＩＤで特定される機種の累計の特典付与機種数が加算更新され、ステップＳ２３７で、非公開ＵＲＬへのアクセスを行なった携帯端末の加算更新された特典付与機種数に応じた特別特典を含む特別特典ページが当該携帯端末１００に送信されることによって特別特典を付与するための処理が行なわれるようにした。
【０２１６】
しかし、これに限定されず、携帯端末１００における特典受取アプリにおいて、パチンコ遊技機７００から２次元コードが取得されたことを条件として、当該２次元コードで示される情報に含まれる機種ＩＤから特定される機種の累計の特典付与機種数が加算更新され、非公開ＵＲＬへのアクセスに伴って、加算更新された特典付与機種数を特定可能な特典付与機種数情報が遊技機メーカサーバ２００に送信されるようにする。そして、遊技機メーカサーバ２００によって、携帯端末１００からの非公開ＵＲＬへのアクセスに伴って送信される特典付与機種数情報が受信され、受信された特典付与機種数情報で特定される特典付与機種数に応じた特別特典を含む特別特典ページを当該携帯端末１００に送信されることによって特別特典を付与するための処理が行なわれるようにしてもよい。
【０２１７】
（６）  前述した実施の形態においては、パチンコ遊技機７００などの遊技機から出力される出力情報またはアクセス情報である２次元コードに、特典の付与を受けるアクセスのアクセス先の公開ＵＲＬおよび非公開ＵＲＬが含まれるようにした。しかし、これに限定されず、出力情報またはアクセス情報は、特典の付与を受けるアクセスのアクセス先を特定可能なものであればよい。
【０２１８】
たとえば、予め特典受取アプリまたは復号アプリに特典の付与を受けるアクセスのアクセス先を当該アクセス先の識別情報とともに記憶しておき、出力情報またはアクセス情報には、当該識別情報を含むようにしてもよい。
【０２１９】
また、２次元コードに、公開ＵＲＬや非公開ＵＲＬが含まれずに、出力特定情報としての出力情報の種類を示すコード情報（特典種別ＩＤ）が含まれるようにしてもよい。この場合、特典受取アプリに１つのＵＲＬが含まれており、そのＵＲＬへのアクセスに伴ってコード情報（特典種別ＩＤ）を送信するようにしてもよい。
【０２２０】
また、出力情報またはアクセス情報は、単なる画像であり、当該画像を取得した携帯端末１００によって、当該画像が電子メールに添付されて遊技機メーカサーバ２００に送信され、遊技機メーカサーバ２００によって、当該画像が認識されて、当該画像が正当なものであれば当該画像に対応するアクセス先を示す情報が携帯端末１００に送信されるようにしてもよいし、当該アクセス先に代えて、特典が添付された電子メールを返信するようにしてもよい。
【０２２１】
（７）  前述した実施の形態においては、図１５のステップＳ２３７で、大当り回数に応じた特別特典を付与するようにした。しかし、これに限定されず、遊技結果情報に応じて特別特典を付与するものであればよい。たとえば、遊技結果情報は、遊技時間であってもよい。
【０２２２】
（８）  前述した実施の形態においては、図１２のステップＳ７０６で、遊技終了操作が行なわれたときに、ステップＳ７０８で、遊技結果情報である大当り回数をリセットするようにした。しかし、これに限定されず、所定時間、遊技機の稼動がないことで遊技結果情報をリセットするようにしてもよい。
【０２２３】
また、遊技終了ボタンに加えて遊技開始ボタンを設け、遊技終了ボタンが操作されると、図１２のステップＳ７０７で説明したように、大当り回数に応じた２次元コードを変動表示装置７４５に表示制御する一方、遊技開始ボタンが操作されると、ステップＳ７０８のように、大当り回数を０回にリセットするようにしてもよい。
【０２２４】
（９）  前述した実施の形態においては、パチンコ遊技機７００から取得した２次元コードを特定可能な情報が、２次元コードで示される情報に含まれる遊技機ＩＤ、および、図１３のステップＳ１２５で２次元コードが取得されたときに携帯端末１００によって定められる取得日時であることとした。
【０２２５】
しかし、これに限定されず、パチンコ遊技機７００に２次元コードを生成する機能およびリアルタイムクロック機能を設けるようにして、パチンコ遊技機７００から取得した２次元コードを特定可能な情報が、予めパチンコ遊技機７００に記憶され２次元コードで示される情報に含められた遊技機ＩＤ、および、２次元コード生成時に２次元コードに含められた時刻情報であることとしてもよい。
【０２２６】
（１０）  前述した実施の形態のおいては、図８の付与済特定情報ＤＢで、パチンコ遊技機７００から取得した２次元コードを特定可能な情報として、アクセスがあった非公開ＵＲＬに対応付けて、遊技機ＩＤおよび取得日時を管理するようにした。しかし、これに限定されず、さらに、アクセス回数を会員ＩＤごとに管理するようにしてもよい。
【０２２７】
（１１）  前述した実施の形態においては、図１５のステップＳ２３６で、２次元コードを特定可能な情報として遊技機ＩＤおよび取得日時の組合せが一度記憶されると、次に、同じ遊技機ＩＤおよび当該取得日時の所定範囲の取得日時の組合せでアクセスが行なわれたとしても、ステップＳ２３５で、既にその組合せが記憶されているとして、ステップＳ２３７で特典を付与しないようにした。
【０２２８】
しかし、これに限定されず、アクセスの上限回数を設定するようにして、設定された上限回数以上アクセスが行なわれたときに、特典を付与しないようにしてもよい。
【０２２９】
（１２）  前述した実施の形態においては、遊技機メーカサーバ２００によって、図１５のステップＳ２３１で、非公開ＵＲＬへのアクセスがあったと判断されたことを条件として、ステップＳ２３６で、そのアクセスに伴って送信された２次元コードを特定可能な情報である遊技機ＩＤおよび取得日時の組合せが記憶されるようにし、その後に、図１５のステップＳ２３１で、非公開ＵＲＬへのアクセスがあったと判断されたときに、当該アクセスに伴って送信される遊技機ＩＤに対して記憶された取得日時の所定範囲に当該アクセスに伴って送信される取得日時が含まれる遊技機ＩＤおよび取得日時の組合せが既に記憶されていることを条件として、ステップＳ２３７での特典の付与を禁止するようにした。
【０２３０】
そして、遊技機メーカサーバ２００によって、図７の特別特典ＤＢで示されるように、図１７のステップＳ３０１，ステップＳ３０２で非公開ＵＲＬ、大当り回数および特典付与機種数の組合せを制限対象とするか否かが予め設定され、図１５のステップＳ２３４で制限対象であるか否かが判断されるようにして、制限対象であると判断されたことを条件として、前述のステップＳ２３５での判断に基づいて、特典の付与を禁止するか否かを判断するようにした。
【０２３１】
しかし、これに限定されず、携帯端末１００によって、パチンコ遊技機７００から取得された２次元コードを特定可能な情報である遊技機ＩＤおよび取得日時の組合せが記憶されるようにし、その後に、パチンコ遊技機７００から取得されたときに、２次元コードで示される情報に含まれる遊技機ＩＤに対して記憶された取得日時の所定範囲に当該２次元コードの取得日時が含まれる遊技機ＩＤおよび取得日時の組合せが既に記憶されていることを条件として、遊技機メーカサーバ２００への当該２次元コードに基づくアクセスが行なわれないようにしてもよい。
【０２３２】
そして、携帯端末１００によって、非公開ＵＲＬ、大当り回数および特典付与機種数の組合せを制限対象とするか否かを示す制限対象情報を更新するための更新情報が予めサーバから配信され、配信された更新情報に従って携帯端末に記憶された特典受取アプリに含まれている制限対象情報が更新されるようにして、２次元コードを取得した携帯端末１００によって、当該制限対象情報に基づいて制限対象であるか否かが判断されるようにし、制限対象であることを条件として、前述の判断に基づいて、遊技機メーカサーバ２００への２次元コードに基づくアクセスが行なわれないようにしてもよい。
【０２３３】
（１３）  前述した実施の形態においては、遊技機の情報を提供する情報提供サイトである図１１（Ｂ）で示した遊技機機種情報ページにアクセスして当該遊技機機種情報ページにリンクされた復号アプリダウンロードページにアクセスするだけで、図９のステップＳ２１６およびステップＳ１１９で復号アプリがダウンロードできることとした。しかし、これに限定されず、さらに、会員登録されていること、または、遊技結果（大当り回数）に応じたポイント使用をダウンロードの条件としてもよい。
【０２３４】
（１４）  前述した実施の形態のおいては、図９のステップＳ２１６で、すでに他の機種の復号アプリが携帯端末１００に記憶されている場合には、遊技者の所望の機種に対応する差分で復号アプリを更新するための情報を携帯端末１００に送信するようにした。
【０２３５】
しかし、これに限定されず、各機種ごとに個別に復号アプリを設け、他の機種の復号アプリがすでに携帯端末１００に記憶されていたとしても、遊技者の所望の機種に対応する新たな復号アプリを携帯端末１００に送信するようにしてもよい。
【０２３６】
（１５）  前述した実施の形態においては、復号アプリは、一度、携帯端末１００にダウンロードされれば、特に期限はなく使えるものとした。しかし、これに限定されず、復号アプリの使用可能期限を設けるようにしてもよい。
【０２３７】
具体的には、遊技機メーカサーバ２００によって、図１７のステップＳ３０４で、所定期間ごと（たとえば月ごと）の複数の暗号キーで非公開ＵＲＬがそれぞれ暗号化され、ステップＳ３０５で、それぞれの暗号キーごとの復号アプリが生成され、２次元コードに所定期間ごとの暗号化非公開ＵＲＬを示す情報が含められるようにし、図９のステップＳ２１６で、日に応じた所定期間に対応する復号アプリがダウンロードされるようにする。そして、パチンコ遊技機７００によって、日に応じた所定期間に対応する２次元コードが表示されるようにする。これによって、復号アプリの使用可能期限を所定期間とすることができる。
【０２３８】
（１６）  前述した実施の形態においては、図１３のステップＳ１３２で、少なくとも１つの復号アプリが記憶されているか否かを判定するようにした。しかし、これに限定されず、各機種ＩＤからそれに対応する復号アプリを特定できるように携帯端末１００に記憶させておき、読取った２次元コードに含まれている機種ＩＤに対応する復号アプリが記憶されているか否か判定し、記憶されている場合にその復号アプリを用いて暗号化非公開ＵＲＬを復号するようにしてもよい。
【０２３９】
また、アプリとしては、特典受取アプリと復号アプリとがあるが、特典受取アプリのみにしてもよい。この場合には、読取った２次元コードに含まれている機種情報に基づいて対応する復号キーが特典受取アプリに記憶され、その復号キーを用いて特典受取アプリが暗号化非公開ＵＲＬを復号する。
【０２４０】
（１７）  前述の実施の形態では、遊技機メーカサーバ２００の記憶部２２０に一般特典ＤＢを記憶させて公開ＵＲＬにアクセスしてきた遊技者に一般特典を付与するものを示したが、この一般特典ＤＢを記憶させないようにして遊技者に一般特典を付与しないようにしてもよい。
【０２４１】
また、前述の実施の形態では、復号アプリを携帯端末１００にダウンロードした会員のみが、暗号化ＵＲＬを復号して非公開ＵＲＬにアクセスして特別特典を取得できるようにしたが、２次元コード１９１に暗号化されていない平文のＵＲＬを含ませ、読取った平文のＵＲＬに直接アクセスして特別特典を取得できるようにしてもよい。
【０２４２】
さらに、前述の実施の形態では、携帯端末１００により非公開ＵＲＬにアクセスしてデータを送信する際に遊技機ＩＤと取得日時も送信し（図１３のステップＳ１３５参照）、遊技機メーカサーバ２００側において、同じ遊技機ＩＤおよび取得日時の組合せの重複した送信による重複した特典の取得という不正行為を防止している（図１５のステップＳ２３４参照）。しかし、この遊技機ＩＤおよび取得日時の送信およびそれに基づいた不正行為のチェックを行なわないようにしてもよい。
【０２４３】
（１８）  前述した実施の形態では、パチンコ遊技機７００の変動表示装置７４５から表示される２次元コード１９１を携帯端末１００が撮影してそれに含まれるＵＲＬにアクセスするものを示したが、それに代えて、変動表示装置７４５により予め定められた演出画像が表示され、その演出画像を携帯端末１００で撮影して遊技機メーカサーバ２００に送信するようにしてもよい。
【０２４４】
その場合に、特典ＤＢにおいて、ＵＲＬの代わりに演出画像を記憶させ、送信されてきた演出画像がどの種類の演出画像に一致するかを判別して、その一致する演出画像に対応して記憶されている特典を付与するとともに、その一致する演出画像に対応して記憶されている特典種別ＩＤを当該会員ＩＤに対応付けて取得特典ＤＢに記憶させる。
【０２４５】
なお、各種演出画像とそれに対応した演出画像コードとを記憶する専用の演出画像ＤＢを構築し、送信されてきた演出画像をその演出画像ＤＢで照合チェックして、一致する演出画像に対応する演出画像コードを割出すようにしてもよい。そして特典ＤＢには演出画像自体を記憶させるのではなく演出画像コードを記憶させ、割出された演出画像コードに対応して記憶されている特典および特典種別ＩＤを特典ＤＢを検索して割出すようにしてもよい。
【０２４６】
（１９）  前述の実施の形態では、大当り終了時あるいは連チャン終了時において、２次元コードを変動表示装置７４５により表示するものを示したが、それに代えてまたはそれに加えて、プレミアムリーチ成立時等に、２次元コードを変動表示装置７４５で表示するようにしてもよい。
【０２４７】
（２０）  前述の実施の形態では、新機種のパチンコ遊技機７００の発表時に、その新機種のパチンコ遊技機７００における特別特典ＤＢ用のデータを新たに設定し、当該新たに設定された新機種を特定可能な案内情報を携帯端末１００に送信するものを示した。
【０２４８】
しかし、それに限らず、この案内情報の携帯端末１００への送信時期は、特別特典ＤＢ用のデータが設定されたとき、携帯端末１００が遊技機メーカサーバ２００のホームページにアクセスしたとき、パチンコ遊技機７００からの出力情報（２次元コードや演出画像等）を携帯端末１００が取込んで遊技機メーカサーバ２００にアクセスしたとき等、どのようなときであってもよい。
【０２４９】
（２１）  前述した実施の形態においては、図１７のステップＳ３１４で説明したように、新機種情報は電子メールで送信するようにした。しかし、これに限定されず、携帯端末１００から遊技機メーカサーバ２００にアクセスがあったことを条件として、新機種情報を返信するようにしてもよい。
【０２５０】
（２２）  前述した実施の形態においては、携帯端末１００によって、遊技機機種情報ページへアクセスされて機種ごとの復号キーを含む復号アプリが取得されて、パチンコ遊技機７００から取得された２次元コードに含まれる機種ＩＤで特定される機種の復号キーを含む復号アプリが記憶されていることを条件として、非公開ＵＲＬへのアクセスが行なわれるようにした。つまり、当該復号アプリが記憶されていなければ非公開ＵＲＬへのアクセスが行なわれない。
【０２５１】
しかし、これに限定されず、次のようにしてもよい。すなわち、全機種の暗号化非公開ＵＲＬを復号可能な復号キーおよび復号アプリが、予め携帯端末に記憶されていることを前提にして、携帯端末１００によって、遊技機機種情報ページへアクセスされることを条件として、当該ページへアクセスをしたことを示すフラグが記憶されるようにして、パチンコ遊技機７００から取得された２次元コードに含まれる機種ＩＤで特定される機種の遊技機機種情報ページへアクセスしたことを示すフラグが記憶されていることを条件として、非公開ＵＲＬへのアクセスが行なわれるようにしてもよい。つまり、非公開ＵＲＬは復号されるが、当該フラグが記憶されていなければ非公開ＵＲＬへのアクセスが行なわれないようにしてもよい。
【０２５２】
これによっても、特別特典をうけるためには、さらに、２次元コードが出力されるパチンコ遊技機７００の機種の遊技機機種情報ページへアクセスすることが必要である。その結果、遊技機機種情報ページへのアクセス数を増加させることができる。
【０２５３】
（２３）  今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０２５４】
１０  特典付与システム、３０  遊技場、１００  携帯端末、１１０  データ処理部、１２０  記憶部、１３０  データ入力部、１４０  表示部、１５０  音声入出力部、１６０  無線通信部、１６１  アンテナ、１９０  カメラ部、１９１  ２次元コード、２００  遊技機メーカサーバ、２１０  データ処理部、２２０  記憶部、２３０  データ入力部、２４０  表示部、２６０  通信部、５００  携帯端末キャリアサーバ、５１０  アンテナ、６００  カードユニット、７００  パチンコ遊技機、７１０  遊技制御部、７３０  各種スイッチ、７４０  演出制御部、７４５  変動表示装置、７５０  各種アクチュエータ、７６０  払出制御部、７６５  球払出装置、７４５  変動表示装置、９１０  インターネット。
【図１】
0005442826.tif 000002
【図２】
0005442826.tif 000003
【図３】
0005442826.tif 000004
【図４】
0005442826.tif 000005
【図５】
0005442826.tif 000006
【図６】
0005442826.tif 000007
【図７】
0005442826.tif 000008
【図８】
0005442826.tif 000009
【図９】
0005442826.tif 000010
【図１０】
0005442826.tif 000011
【図１１】
0005442826.tif 000012
【図１２】
0005442826.tif 000013
【図１３】
0005442826.tif 000014
【図１４】
0005442826.tif 000015
【図１５】
0005442826.tif 000016
【図１６】
0005442826.tif 000017
【図１７】
0005442826.tif 000018